(57)【要約】【課題】プレイヤーの興味を誘発するスピーディーで衝動的な改良型宝くじゲームを提供すること。【解決手段】アドオンゲームの購入の如何にかかわらず宝くじゲームにラッフルゲームを付加し、宝くじゲームのプレーヤーは全員ラッフルくじ券を追加料金なしで受け取ることができる。ラッフル抽選が行われ、基本ゲームと共にアドオンゲームであるラッフルゲームが購入されている場合、プレーヤーはラッフル賞金を受け取ることができ、アドオンゲームが購入されていない場合、プレーヤーはラッフル賞金の代わりに無料のＱＰくじ券を受け取る。支払われなかったラッフル賞金は、次回のラッフル抽選に繰り越される。基本ゲームの改良点は、プレーヤーの勝率を増加させるアドオンラッフルゲームに参加する資格が提供されることである。また、宝くじゲームを簡易化するための当該発明の速攻手段は宝くじ電子ネットワークである。発券ターミナルインターフェイスの使用により、取引期間を早め、プレーヤーがスピーディで衝動的なゲームができるよう奨励する。【選択図】１３Ａ
2010535391.tif 000002
【特許請求の範囲】
【請求項１】
最初の宝くじゲームで賞金授与資格者が支払った掛金によって賞金支払いが影響されるラッフルアドオンゲームを付加することを特徴とする宝くじゲームのホスト手段。
【請求項２】
（ａ）第一の掛金に宝くじゲーム、第二の掛金にアドオンラッフルゲームを販売する；
（ｂ）プレーヤーの選ぶ組数字を印刷したくじ券を発券する；
（ｃ）宝くじ抽選を行い、当選ナンバーを認定する；
（ｄ）ゲーム当選者をアドオンラッフルゲームにエントリーする；
（ｅ）ラッフル抽選を行い、当選ラッフルナンバーを認定する；
（ｆ）ラッフル抽選の結果、ラッフルゲームプレーヤーが賞金の授与資格を持つかどうかの決定をする；
（ｇ）ラッフルくじ当選者に、次のとおり賞金を授与する；
（イ）関連する最初の宝くじゲームでアドオンラッフルゲームが購入されている場合、第１の賞が授与され；
（ロ）関連する最初の宝くじゲームでアドオンラッフルゲームが購入されていない場合、第２の賞は、賞金なしまたは次の抽選のくじ券、あるいは第１の賞金より低い金額の賞金のいずれかが授与される、
手順を含む請求項１の手段。
【請求項３】
ラッフル組数字が記載された独立したラッフル券をくじ券受理者に発行する；
ラッフル組数字が宝くじゲーム組数字とともに記載されたラッフルゲーム券を発行する；
抽選の結果、プレーヤーが次回ラッフルゲームに参加する資格を持つかどうかの決定をする；
最初の宝くじゲームでゲーム券受理者がラッフルアドオンゲームを購入したかどうかを決定する；
支払われなかった賞金金額の一部を次回の抽選のための賞金基金に繰り越す； 
のいづれか一つを含む、請求項２の手段。
【請求項４】
当該宝くじゲームは、カジノゲーム、ビンゴゲーム、ケノゲーム、ポーカーゲーム、ブラックジャックゲーム、クラップスゲーム、ルーレットゲーム、スロットマシーンゲーム、プログレッシブゲーム、ラッフルゲーム、ダイスゲーム、カードゲーム、スピンホィールゲーム、オークション、コンテスト、ステークス競馬、抽選、スキルゲーム、偶然が結果をもたらすゲーム、スポーツくじ、プレーヤーが掛金を払って参加する結果予想が不可能なくじと同種のゲームのいづれかである、請求項２の手段。
【請求項５】
各宝くじエントリーはプレーヤーが選んだ少なくとも１組の組数字であり、ラッフルアドオンゲームが購入されたかどうかにかかわらず、複数の宝くじゲームエントリーを受理する；
賞金表と複数のゲームエントリーを保管する；
プレーヤーの組数字を記載した宝くじ券を発行する；
宝くじ抽選を行い、当選ナンバーを認定する；
次のラッフル抽選に、最少１名のゲームくじ券受理者をエントリーさせる；
ラッフルくじの結果、ラッフル券受理者に賞金授与資格があるかどうかを決定する；
賞金授与資格者が最初の宝くじゲームでラッフルアドオンゲームを購入したかどうかが賞金金額に影響するラッフルアドオンゲームの賞金を支払う；
手順からなることを特徴とする、ラッフルアドオンゲームのオプションを備えた宝くじゲームを履行するためのシステム。
【請求項６】
ラッフル組数字が記載された独立したラッフル券をくじ券受理者に発行する；
ラッフル組数字が宝くじゲーム組数字とともに記載されたラッフルゲーム券を発行する；
抽選の結果、プレーヤーがラッフルアドオンゲームに参加する資格を持つかどうかの決定をする；
関連する最初の宝くじゲームでゲーム券受理者がラッフルアドオンゲームを購入したかどうかを決定する；
支払われなかった賞金基金の一部を次回の抽選の賞金基金に繰り越す；
のいずれか一つを含む、請求項５のシステム。
【請求項７】
（ａ）プレーヤーの組数字を記載した宝くじ券を発行する；
（ｂ）宝くじ抽選を行い、当選ナンバーを認定する；
（ｃ）最少１名の宝くじ券受理者を、次のラッフル抽選にエントリーする；
（ｄ）ラッフル抽選を行い、当選ラッフルナンバーを認定する；
（ｅ）ラッフルゲームの結果、ラッフル券受理者に賞金授与の資格があるかどうか決定する；
（ｆ）最初の宝くじゲームで賞金授与資格者がラッフルアドオンゲームを購入したかどうかが賞金金額に影響する当選したラッフルゲームの賞金支払いを割り当てる；
コンピューターが上記の処理を行うための、コンピューターインストラクションから成るコンピュータープログラムを貯蔵したコンピューター判読可能な媒体を含む、請求項５のシステム。
【請求項８】
当該宝くじゲームは、カジノゲーム、ビンゴゲーム、ケノゲーム、ポーカーゲーム、ブラックジャックゲーム、クラップスゲーム、ルーレットゲーム、スロットマシーンゲーム、プログレッシブゲーム、ラッフルゲーム、ダイスゲーム、カードゲーム、スピンホィールゲーム、オークション、コンテスト、ステークス競馬、抽選、スキルゲーム、偶然が結果をもたらすゲーム、スポーツくじ、プレーヤーが掛金を払って参加する結果予想が不可能なくじと同種であるゲームのいづれかである、請求項５のシステム。
【請求項９】
（ａ）掛金付きのラッフル券を販売する；
（ｂ）１組のプレーヤー組数字を記載したラッフル券を発行する；
（ｃ）１名以上のくじ券受理者を、ラッフルナンバーと「不当選」ナンバーユニットが含まれるという特徴があるラッフル抽選にエントリーする；
（ｄ）ラッフル抽選を実施し、当選ラッフルナンバーを認定する；
（ｅ）ラッフルゲーム賞金基金を次のとおり分配する：
（イ）当選ラッフルナンバーがくじ券受理者の組数字と一致した場合、くじ券受理者に賞金が授与され；
（ロ）当選ラッフルナンバーが「不当選」ナンバーユニットである場合、賞金は次回の抽選のための賞金基金に繰り越される；
手順からなることを特徴とする、結果の予測が不可能なラッフルゲームのホスト手段。
【請求項１０】
ラッフル抽選に含まれる「不当選」ナンバーユニットの数が予測不可能である、請求項９の手段。
【請求項１１】
（ａ）ゲーム期間中の売上げから発生する資金の一部を第一賞金基金と第二賞金基金に割り当てる；
（ｂ）第二賞金基金額を減少させずに、第一賞金基金から賞金を授与する；
（ｃ）第一賞金基金額を減少させずに、第二賞金基金から賞金を授与する；
（ｄ）未払いの第一賞金基金の一部を次回抽選の第一賞金基金に繰り越す；
（ｅ）未払いの第二賞金基金の一部を次回抽選の第二賞金基金に繰り越す；
手順からなることを特徴とする、偶然が結果をもたらすゲームの賞金基金を運営する手段。
【請求項１２】
次回ゲームの第一賞金基金と第二賞金基金に割り当てられる資金の一部は、現在進行中のゲームの賞金支払いに影響される、請求項１１の手段。
【請求項１３】
（ａ）「定額賞金基金」を形成するために、ゲーム期間中の売上げから発生する資金の一部を定額賞金基金に割り当てる；
（ｂ）あらかじめ決められている割率の「定額賞金基金」を第一賞金単位へ割り当て、第一定額賞金金額に切り捨てられる；
（ｃ）「定額賞金基金」の残高を、第二定額賞金の賞金単位、貯蓄基金、パリミューチュエル賞金基金と次回抽選のための賞金基金に割り当てる；
手順からなることを特徴とする、定額賞金金額をパリミューチュエル賞金基金から導き出す手段。
【請求項１４】
今回抽選期間に提供される定額賞金単位の数と金額が、今回ゲーム期間に販売されたくじの売上げと、前回期間中の売上げと繰り越された賞金金額の合計額により決定される、ゲーム期間中の売上げから発生する資金の一部を賞金基金に蓄積する、構成からなることを特徴とする、ラッフルゲームの定額賞金を導き出すための手段。
【請求項１５】
（ａ）掛金付きの宝くじ券を複数のプレーヤーに販売する；
（ｂ）１組のプレーヤー組数字を記載した宝くじ券を発行する；
（ｃ）抽選を行い、当選ナンバーを認定する；
（ｄ）ラッフル抽選の結果、ラッフル券受理者に賞金授与資格があるかどうかを決定し、抽選で最大数の当選番号を獲得出来なかったくじ券受理者はプレーヤー組数字の中から最少１つの数字をより勝率の上がる数字と取り替えるというクレジットの買い取りが出来る；
（ｅ）当選宝くじ券受理者に勝率が上がった結果に関与する賞金を授与する；
手順からなる、ゲーム後の数字変更に特徴がある、宝くじゲームのホスト手段。
【請求項１６】
（ａ）掛金付きの宝くじ券を複数のプレーヤーに販売する；プレーヤーは、当選結果を得るために必要な当選ナンバーの数を変更することなく、公式に抽選される当選ナンバーの数よりも多い数のナンバーを選んでくじに参加する事が出来る；
（ｂ）プレーヤーの組数字を記載した宝くじ券を発行する；
（ｃ）抽選を行い、当選ナンバーを認定する；
（ｄ）ラッフル抽選の結果、ラッフル券受理者に賞金授与資格があるかどうかを決定する；
（ｅ）当選宝くじ券受理者に賞金を授与する；
手順からなる、ゲーム前の勝率増加に特徴がある、宝くじゲームのホスト手段。
【請求項１７】
（ａ）登録ターミナルを通して、最少１つの選択したゲームの好み、ゲーム組数字、プレーヤー個人身分証明と電子支払い手段を含む、プレーヤーの登録データを受理する；
（ｂ）プレーヤー登録に関わる登録データを検索出来るように処理し保管媒体に保管する；
（ｃ）ターミナルインターフェイスをとおしてプレーヤーの個人身元証明となるものを受理し、そのシグナルをセントラル処理システムへ送信する；
（ｄ）登録されたプレーヤー記録データベースの中から、プレーヤーの記録を認定し、関与するプレーヤーのゲームデータを引き出す；
（ｅ）上記データの単位に代わるシグナルをターミナルインターフェイスに送信する；
（ｆ）ターミナルインターフェイスから送られたプレーヤーのゲームに関与するリクエストの掛金の合計を計算する；
（ｇ）安全な支払いゲートを通してプレーヤーの金融機関に取引請求を送信する；
（ｈ）リクエストの結果を、ターミナルインターフェイスを通して、つぎのとおりプレーヤーに表示する；
（イ）プレーヤーの金融機関が取引を承認した場合は、金融機関は承認指示を送信し、承認された資金は電子取引処理で通常使われる手段を通して宝くじ主催者によって管理される口座に送金され、承認の表示がターミナルインターフェイスの画面に表示され、要求されたゲームは処理され、くじ券がプレーヤーに発行される；
（ロ）取引が否認された場合は、ターミナルインターフェイスをとおして取引否認が表示される；
（ｉ）ゲーム取引の記録をセントラル処理システムに保管する；
手順からなり、最少１台の登録ターミナル、プレーヤーの互換作用のための最少１台のターミナルインターフェイス、最少１台のセントラル処理システム、最少１件のプレーヤーの金融機関を利用することを特徴とする電子宝くじゲームネットワークにおけるゲーム簡易化の手段。
【請求項１８】
セントラル処理システムは、カスタマイズされた抽選結果報告書を電子手段でプレーヤーに通達する、プレーヤーが当選結果によって得る賞金金額をプレーヤーの口座に電子送金する、プレーヤーの口座に賞金金額を電子送金するための取引手数料を受け取る、換金券の代わりに換金不可能な領収書を発行する、
ゲーム券を登録プレーヤーに関連付ける、当選結果としての賞金を登録プレーヤーに関連付ける、いずれかの手段を提供し、そして、すでに保管されている購入ゲームを選択する、既に保管されている購入ゲームを削除する、ゲーム組数を編集する、ゲームの好みを編集する、ゲーム購入のリクエストを編集する、ゲーム購入のリクエストを確定する、既に保管されている支払い手段を選択する、支払い手段を編集する、新規プレーヤーとして登録する、プレーヤー記録を修正する、ゲームを購入する、ターミナルインターフェイスを通した支払い手段を提示する、いずれかのオプションをプレーヤーに提供する、請求項１７の手段。
【請求項１９】
登録ターミナルとプレーヤーの互換作用のためのターミナルインターフェイスは、パソコン、互換テレビ、携帯電話またはＰＤＡのいずれかである、請求項１７の手段。
【請求項２０】
プレーヤーの個人身元確認情報は、指紋、網膜スキャン、政府交付の番号、ユーザー名、パスワード、そして、電子判読可能なカードのいづれかである、請求項１７の手段。
【請求項２１】
プレーヤー登録データを、複数の登録ターミナルと通信・受理するためのネットワーク手段；
複数のプレーヤーの個人身元確認情報を、複数の登録ターミナルと通信・受理するためのネットワーク手段；
複数のプレーヤーの個人身元確認情報を利用してプレーヤー記録を検索しアクセスする、記録機関とアクセスする手段；
特定の抽選においてゲームの受付を切り上げるまでの残り時間を検出する手段；
プレーヤーの金融機関と取引請求の通信をするための安全なゲートにアクセスする手段；
プレーヤーの金融機関からプレーヤーの掛金額を電子受領するための手段；
複数のプレーヤー記録と宝くじの処理及び運営をするのための、プロセサーによって以下の機能を実行するためのコンピューターインストラクションからなるコンピュータープログラムを搭載したコンピューター判読可能な媒体；
（ａ）ゲームへのリクエストを処理およびアフターサービスする；
（ｂ）保管されているプレーヤーのゲームデータを認証するため、プレーヤ記録の使用を調整する；
（ｃ）電子手段を通してプレーヤーの金融機関に掛金の請求と受理をする；
（ｄ）プレーヤーにゲームの取引情報を確認する；
（ｅ）プレーヤーのゲーム取引を記録する；
（ｆ）ターミナルインターフェイスを通してゲームくじ券を処理、及び、発行する；
（ｇ）カスタマイズされた抽選結果報告書を電子手段でプレーヤーに通達する、プレーヤーが当選結果によって得る賞金金額をプレーヤーの口座に電子送金する、プレーヤーの口座に賞金金額を電子送金するための取引手数料を受け取る、換金券の代わりに換金不可能な領収書を発行する、ゲーム券を登録プレーヤーに関連付ける、当選結果としての賞金を登録プレーヤーに関連付ける、いずれかを処理し、すでに保管されている購入ゲームを選択する、既に保管されている購入ゲームを削除する、ゲームの組数字を編集する、ゲームの好みを編集する、ゲーム購入のリクエストを編集する、ゲーム購入のリクエストを確定する、既に保管されている支払い手段を選択する、支払い手段を編集する、新規プレーヤーとして登録する、プレーヤー記録を修正する、ゲームを購入する、ターミナルインターフェイスを通した支払い手段を提示する、いずれかのオプションをプレーヤーに提供する；
構成からなることを特徴とする、電子宝くじネットワークでゲームを履行するシステム。
【請求項２２】
パソコン、互換テレビ、携帯電話やＰＤＡを使ったネットワーク手段で、複数のプレーヤーと通信、及び複数のプレーヤーから個人身元確認情報を受信する請求項２１のシステム。
【請求項２３】
ネットワーク手段によって受信される個人身元確認情報は、指紋、網膜スキャン、身分証明番号、ユーザー名、パスワード、電子判読可能なカードである、請求項２１のシステム。
【発明の詳細な説明】
【技術分野】
【０００１】
当該発明は、州や国が主催するロト／宝くじゲームなど、偶然が結果をもたらすゲームに関連しているが、他の同様のゲームにも関連づける事が出来る。例えば、ビンゴ・ゲーム、カジノ・ゲームなど、プレーヤーが予測不可な結果をもたらすどのようなゲームでも該当する。さらに厳密にいえば、当該発明は、偶然が結果をもたらすタイプの基本ゲームに付加される革新的なラッフルアドオンゲームであり、当選賞金は、プレーヤーが基本ゲームに参加する際に払う掛け金に影響される。また、主催側のリスクを制限しつつ、プレーヤーの賭博意欲を高めるように改良された、賞金基金割り当て手段が紹介される。概念的目的のために、以下、当該発明は、州営宝くじに応用して説明されるものであるが、そういった適用は、固定あるいは限定されるものではない。
【背景技術】
【０００２】
州営・国営それぞれの宝くじにはそれぞれ若干相違する規則があり、通常それぞれのウェブサイトで通知される。中には宝くじ券のインターネット購入を許可するものもあるため、次に述べられるのは、ゲームの賭け方、ゲームの内容など、基本的な宝くじの規則の一例として提示するものであり、固定的あるいは限定的なものではない。
【先行技術】
【０００３】
（ロト・ゲームの要約）
プレーヤーは１から４９の数字から６つの数字を選ぶ。数字が描かれた４９のボールの中から抽選で６つの数字とボーナスナンバー１つが選ばれる。プレーヤーの選んだ６つの数字すべてが一致すれば、ジャックポット賞が当たる。５つの数字とボーナスナンバーが一致すれば、２番目の賞が当たる。一致する数字が５つ、４つまたは３つの場合は、さらに低い賞が当たる。
【０００４】
（一般的なロト／宝くじゲームの基本規則）
（ａ）ロト／宝くじ券の購入および賞金請求の出来るゲーム参加資格者は、その年
齢が１６／１８／２１歳以上とする；
（ｂ）プレーヤーは、小売業者で受付終了後、その場で宝くじ券の内容を確認する
ものとする；
（ｃ）盗難、未発行、破損、判読不可能、また、書き換えなど手が加えられている場合、宝くじ券は無効となる；
（ｄ）宝くじ主催者は、宝くじ券の紛失および盗難には責任が無いものとする；
（ｅ）抽選以前に、ロト／宝くじ券を、購入した小売業者に提出した場合、その宝くじ券は無効となる場合がある；
（ｆ）当選した場合、プレーヤーは、賞金請求前に、本人の氏名、住所と電話番号を、当選した宝くじ券の裏面に記入しなければならない；
（ｇ）すべての当選券は、宝くじ主催者により、承認されなければならない；
（ｈ）すべての当選券は、持ち主の証書である；
賞金請求は、抽選日から６ヶ月／１年の期間になされるものとする。
【０００５】
（ロトの遊び方）
まず、各くじ板あるいはロトカード上の６つの数字に印をつける。中には１枚のカードで１セット以上の数字を賭ける事が出来る宝くじ券もある。カードの書き込みをせずに宝くじ券を買う事も出来る。その場合、６つの番号はコンピューター・ターミナルによって任意に選出される。
【０００６】
ロトカードによっては、同じ数字を１週間以上（数回の抽選に）賭け続ける事もできる。その場合、プレーヤーは所定の場所に指定の通りに印を付けなければならない。プレーヤーが受け取る券は１枚だが、数字は選んだ週の各抽選日にエントリーされる。
【０００７】
プレーヤーはカードの書き込みを終了したら、最寄りの小売業者または宝くじターミナルへカードを持って行く。そこで、選んだ数字がターミナルに入力された後、宝くじ／ロト券が渡される。プレーヤーは、選んだ数字、希望日数や週間、抽選日など、入力された情報が間違っていない事を確認しなければならない。
【０００８】
また、宝くじ券に印刷されているバーコードの数字が、はっきりと判読出来るかどうか、また、「無効」欄に印が入っていない事も確認する必要がある。プレーヤーは賞金受け取りの請求をする際に唯一の証拠となる宝くじ券を安全に保管しなければならない。安全な保管のために、宝くじ券の裏側に名前と住所を記載する事が薦められる。
【０００９】
宝くじ／ロト券に記載された６つの数字が抽選によって選ばれた６つの数字に順不同で一致した場合は、ジャックポット賞となる。時には、ジャックポットを数名の当選者と分割しなければならない場合もある。一致した数字が６つのうち、５つ、４つ
、または３つなどの場合には、ジャックポットよりも低額の賞金が得られる。国や州によっては、５つの数字とボーナスナンバーが一致すれば、２等賞が獲得出来る。
【発明の概要】
【発明が解決しようとする課題】
【００１０】
宝くじは常に人気の高いゲームで、その収入は、多くの国や州の教育に供給されてきた。
【００１１】
産業調査の結果によると、賞金金額と当選確率の高い宝くじは、プレーヤーにさらに高い「当選」の可能性を与えるので、売り上げがさらに伸びる。１０年ほど前、多くの州が従来的なスクラッチ式宝くじゲームのプレミアム版であるインスタント宝くじゲームを導入した。伝統的な１ドルの代わりに２−１０ドルと高めの価格で、プレーヤーはより高い当選確率、あるいはより高い賞金を当てる勝算が上がるため、全体的な勝算が上がり、賭けへの参加率が高まった。結果、多くの州で、スクラッチ式インスタント宝くじゲームの歳入額は従来のロトの歳入を上回った。現在も従来式のロトの売り上げが低迷あるいは下降している中、スクラッチ式インスタント宝くじゲームは成長を続けている。
【００１２】
中でも興味深いのは、発売から４週間までの新しいゲームに一番人気が集まるという、ロト／宝くじゲーム分析の所見である。つまり、ゲームのデザイナーは既存ゲームを新鮮に見せるための改装アイディアや手段を常に創作・導入し続けなければならない重大な義務を与えられる。
【００１３】
従来式のロトの売り上げを伸ばすため、抽選回数を週１回から週２回に増やすなどの努力がなされたが、高額賞金への期待がすでに消費者側の意識にあるため、主催者は従来の１枚１ドルよりも高額の新しいロトの導入をせまられた。
【００１４】
昨今では、図２のように、期間が１年あるいは半年ベースのラッフルゲームを法人組織化した州もいくつかある。人気が高い州営ラッフルゲームのひとつが「ミリオネア・ラッフル」で、プレーヤーに１００万ドルの一等賞金を提供している。主催州は
、宝くじ券の発行枚数を限定し、１枚平均２０ドルで販売する。各宝くじ券には抽選に使用される数字が１つのみ印刷されている。全賞金額の合計は１つのラッフル抽選によって発生する総歳入のほぼ５０％で、一般的にはいくつかの１００万ドル、１０万ドル、１万ドル、５００ドル定額賞金に分割される。定額賞金の数や金額は宝くじ券発売の前に各州によって事前に決定される。
【００１５】
ミリオネア・ラッフルのようなラッフルゲームは、券発売から数日または数週で完売するほど、多くの州で広くまた意欲的に支持されている。販売期間内に券を売り切らないで終わるのはごく少数の小さな州営宝くじのみである。
【００１６】
しかしこの成功のうらで、ラッフル抽選の根本的な性質と構造が主催州の歳入増加の努力にいくつかの制限をもたらしている。明白な制限は；（１）平均１０−２０ドルの宝くじ券価格は従来の宝くじ券より遥かに高額で、平均的なプレーヤーは現状価格での購入を希望している。（２）提供される賞金金額は、概して宝くじ券が完売するという前提で決められている；くじが完売しない場合、パリミューチュエル形式で決定されていない定額賞金を提供する事は主催者にリスクを投げかける事になる。（
３）他の宝くじゲームに回せる資金を吸収してしまうラッフルゲームは、共食いゲームとなりうる。（４）ラッフルゲームの宣伝には時間がかかる。大概、１つの宝くじの販売期間は６−８週間である。そして最後に、（５）ラッフルゲームの根本的な性質の影響として１回の抽選ですべての賞金が配当されるため、ラッフルゲームの売り上げに最も影響力のある要因、つまり「ジャックポットの繰り越し」の妨げとなる。図３に見られるように２００６年のケーススタディによると、フロリダ・ロト（登録商標）の売り上げはジャックポットの賞金額が膨らむと販売は平均して５００％を上回った。
【００１７】
背景として興味深いのは、「ＷＯ２００７／０９３５３０  ｂｙ  ＳＣＩＥＮＴＩＦＩＣ  ＧＡＭＥＳ  ＲＯＹＡＬＴＹ  ＣＯＲＰ  ＥＴ  ＡＬ」による、「独立したラッフル賞金を持つ宝くじゲーム」と題された申請書である。ＳＣＩＥＮＴＩＦＩＣ社は上限を定めたジャックポット賞金と抽選でジャックポットが出なかった場合に増加するラッフル賞金を合わせ持つ宝くじゲームについて説明している。ジャックポットは事前に決められている額に達するまで金額が増えて行く。その金額に到達してもジャックポット当選者がでない場合は、ラッフル賞金が設立される。ジャックポットが出ないまま、ラッフル賞金が設立されると、ラッフル賞金の金額が増えて行く。
【００１８】
ラッフルゲームをオンライン宝くじゲームに法人組織化する新手段である一方、このようなゲームには、営利化を制限する可能性のある不利点もある。（１）ゲーム気質はラッフルであるが、各賞金が１００万ドルのように、賞金数は制限される。（２）基本ゲームのジャックポット金額を上限すると、プレーヤーは興味を失う可能性があり、宣伝に逆効果である。（３）各抽選が１ゲームにつき２ドルかかるという事は、従来の１ゲーム１ドルよりも高額である。懸念されるのは、ジャックポットの金額がラッフルゲームを刺激する最低線を超えるまで、プレーヤーは意欲的に掛け金を上乗せするか
、従来のオンライン宝くじゲームを２回賭けるかである。（４）州主催の他の宝くじゲームに回せる資金を吸収するこのゲームは、共食いゲームとなりうる。（５）ジャックポット当選者が決定するまで、ラッフル賞はラッフル当選者に配当されないという点は、高い掛け金を払い、ラッフル当選ナンバーを受け取り、１００万ドルを当選したと知りつつも本人理由ではない理由で賞金を受け取れないとなると、誠実なプレーヤーの興味を失わさせる可能性がある。よって、前述の短所を解決するための
、前述の技術の改良型ラッフルゲームが必要なのである。
【課題を解決するための手段】
【００１９】
描かれている図は、アドオンラッフルゲーム、独立式ラッフルゲーム、ラッフル賞金の支払い基金のためのパリミューチュエル・システムの仕組みを具象化したものである。当該発明は、アドオンラッフルゲームで、カジノ、ビンゴ、スポーツくじなど、参加するプレーヤーに予測不可能な結果をもたらすあらゆるゲームを表している。
【００２０】
この点で、発明の詳細について説明を始める前に、当該発明はこれから説明する詳細な構成や仕組み、あるいは段階や図解だけに適用が限定されているものではない事を理解していただかなければならない。加えて、ゲームの使用説明、ゲームコスト、ゲームで選ばれる数字の数、当選に必要な一致ナンバーの数や結果の認定なども含めて、ここから使用される表現や述語は、説明を目的としており、限定的なものではない。当該発明で描写されるアドオン式ゲームは、これより、当該発明の商標である、「Ｌｉｇｈｔｎｉｎｇ  Ｓｔｒｉｋｅｓ  Ｔｗｉｃｅ（ＬＳＴ）（登録商標）」と言及される。シングル・アドオン・基本プレイ、基本ゲーム・プレイ、ジャックポット
・ゲーム・プレイ、ラッフル・ゲーム・プレイ、オンライン・ゲーム・プレイについては、これより、アドオンゲーム、基本ゲーム、ジャックポットゲーム、ラッフルゲーム，オンラインゲームとする。
【００２１】
図１では、当該発明の構造にしたがい、アドオンラッフルゲームの構造を表わしている。宝くじ主催者は、第一の掛け金が基本ゲーム、第二の掛け金がアドオンラッフルゲームとなる宝くじ券を販売する。（１００）１ドル増のプレミアム賭け金では、最初の基本ゲームを購入すると、アドオンラッフルゲームがオンライン宝くじに追加できる。アドオンゲームは、単一の州、管轄区、国で開催されるか、あるいは複数の州、管轄区、国で同時に開催され、ジャックポット・ゲームのみか、インスタントゲーム（スクラッチ式）か、あるいはオンラインゲームのいづれかに加えられる。複数の州、管轄区または国で同時に行われた場合、売り上げによる歳入の１部分は、販売を行った各州に分割され、また、売上げによる歳入の１部分は、参加州、管轄区や国の賞金基金の少なくとも１つに割り当てられる。
【００２２】
宝くじ主催者は、プレーヤーから選択された組数字と掛け金を受け取る（１０２）。また、主催者は、プレーヤーから数字を提出する代わりに、クィックピックゲームを要求される。その場合、主催者はプレイヤーによって選択された組数字を記載した宝くじ券を発行する（１０４）。基本ゲームと共にラッフルアドオンゲームが購入されたかどうかの表示が、宝くじ券に印刷される。主催者は宝くじ抽選を行い、当選番号を認定する（１０６）。当選者から宝くじ券を受け取り（１０８）、その宝くじ券の結果が決定され、抽選の結果、プレイヤーにラッフルくじに参加する資格があるか（１１０）判定する。予想が当たった場合、すなわち基本ゲームの抽選で少なくとも３つの数字が当たった基本プレーヤー全員（アドオンゲームの購入に関わらず）に、次のラッフル抽選に参加する資格が与えられる。宝くじ券の換金の際に、独自のラッフルナンバーを記載したラッフル券を発行し（１１２）、追加料金なしで自動的にラッフル抽選にエントリーできる。予想が当たらなかった場合は、プレーヤーのゲームは終了である。ラッフル券には、関連する基本ゲームとともにアドオンラッフルゲームが購入されたかどうかの表示が記載される。ラッフル券を受け取るための資格は、宝くじ主催者が決める。つまり、認定結果として通常配られる無料のＱＰ宝くじ券の代わりにラッフル券が配布される。また、独自のラッフルナンバーは最初の基本ゲーム購入時に発行され、すべての基本ゲーム宝くじ券に印刷される。
【００２３】
アドオンゲームのラッフル抽選は定期的、すなわち毎週行われ、当選ラッフルナンバーが認定される。各ラッフル抽選が一連の定額現金賞金とパリミューチュエル・グランド賞を提供する。賞金基金の５０パーセントが一連の定額賞金に割り当てられ、残りの５０パーセントがグランド賞に割り当てられている。賞金基金の全額が、一連の定額賞かパリミューチュエル・グランド賞のどちらかに割り当てられている。
【００２４】
ラッフル抽選を行い、当選ラッフルナンバーを認定する（１１４）。プレーヤーはラッフル券を宝くじ主催者に提出し、主催者は当選者からラッフル券を受け取り（１１６）、そのラッフル券の結果が決定され、ラッフル券に賞金授与の資格があるか（１１８）判定される。数字が抽選によって公式に当選ラッフルナンバーと認められた数字と合わなければ、プレーヤーのゲームは終了である。数字が抽選によって公式に当選ラッフルナンバーと認められた数字と合う場合、当選ラッフル券の基本ゲーム購入時に、アドオンラッフルゲームが購入されたか（１２０）どうかにより決定がくだされる。当選ラッフル券に関わる基本ゲームを購入した際にアドオンラッフルゲームも購入されている場合、プレーヤーは当選したラッフル賞金を受け取る（１２２）。当選ラッフル券に関わる基本ゲームをを購入した際にアドオンラッフルゲームが購入されていない場合、プレーヤーはラッフル賞金の代わりに無料のＱＰ宝くじ券を受け取る（１２４）。実施形態の一つとして、プレーヤーは賞金を受け取らないかわりに、次回の抽選ゲームか、基本ゲーム購入時にアドオンゲームを購入していた場合より低い金額を受け取る。
【００２５】
配当されなかったラッフル賞金の少なくとも１部分は、次回の抽選のための賞金基金へ割り当てられる（１２６）。また、ラッフル賞金が授与されなかった場合、賞金が細分される仕組みが提供される。次回の抽選に繰り越して賞金を大きくする代わりに、同じ抽選の中で賞金を割率によって小額の賞金に割り当てる。また、ラッフル賞の支払いに意外性をもたらすために「不当選」ラッフルナンバー、あるいは「不当選ユニット」がラッフル抽選にエントリーする。不当選ナンバーや不当選ユニットが抽選された場合、その抽選に関わる賞金は無配当となる。無配当となった賞金は、次の抽選に繰り越される。一連の「不当選」ラッフルナンバーあるいは「不当選ユニット」のエントリー数は予測不可能である。つまり予想が当たり、３つ以上の番号あるいはすべての番号が首尾よく一致した一連の当選者の人数に関与している。
【００２６】
また、当該発明では基本ゲームのごく数枚に独自のラッフルナンバーが任意に発行され、最初の基本ゲーム宝くじ券と共に印刷される。すべてのラッフルナンバーは次の抽選にエントリーされ、全賞金が当選ラッフルナンバーの当選者全員に配当される。
【００２７】
図２は、現在全米で行われている州営宝くじのラッフルデータを表している。ほんの数年前までは存在しなかった州営ラッフルゲームは、州営ラッフルゲームが行われている２０州（２００）において、今最もスピーディに成長しているゲームである事を証明している。
【００２８】
図３は、フロリダ・ロトゲームが発表した２００６年のデータをもとに、平均的なジャックポットの規模とそれに対応する宝くじ券売り上げの関係を示している。表示されているように、ジャックポットが増額するとプレーヤーを刺激し興味を集めるため、最大額のジャックポットが提示された時には参加率は５００％以上に上がった（
３００）。
【００２９】
図４は、当該発明の方法を引用したアドオンゲームに使用される、ロト宝くじ券の表面（４００）と、ラッフル券の表面（４０２）の図である。ロト宝くじ券（４００）には１回のプレミアム掛金である２ドルの表示（４０４）、Ｌｉｇｈｔｎｉｎｇ  Ｓｔｒｉｋｅｓ  Ｔｗｉｃｅ（ＬＳＴ）のチェック欄（４０６）と、プレーヤーが、基本ゲームの購入時に、当該発明の方法を引用したアドオンラッフルゲームを購入したかどうかの表示がある。ラッフル券（４０２）には、次回のＬｉｇｈｔｎｉｎｇ  Ｓｔｒｉｋｅｓ  Ｔｗｉｃｅ（ＬＳＴ）ラッフル抽選に自動的にエントリーされる、独自のラッフル組数字（４０８）が表示されている。ラッフル券（４０２）は、当該発明の定義とおり、あるいは宝くじ主催者によって決定された資格結果のとおり、基本ゲームで３つ以上の数字が当選数字と一致したプレーヤー全員に追加料金なしで配布されるものであるため価格は表示されない。ラッフル券（４０２）にはＬｉｇｈｔｎｉｎｇ  Ｓｔｒｉｋｅｓ  Ｔｗｉｃｅ（ＬＳＴ）のチェック欄（４０６）があり、プレーヤーが基本ゲーム購入時に当該発明の方法を引用したアドオンゲームを購入したかどうかが表示される。
【００３０】
図５は、当該発明の方法を引用したアドオンゲームの賞金基金の分配を表示したチャートである。賞金基金（５００）はパリミューチュエル賞金基金であり、当該発明であるアドオンゲームの抽選期間の売り上げ金額の５０パーセント（５０％）から成り立っている。賞金基金には、前回の抽選から繰り越された賞金も含まれている。当該発明の方法を引用したアドオンゲームの抽選期間の総売上収入の一部分は、賞金基金（５００）に割り当てられる前に、少なくとも１種類の賞金積立口座に割り当てられる。賞金基金は当選基金として次のように分配されなければならない。
【００３１】
グランド賞金基金（５０２）は、１つの抽選期間の賞金基金（５００）の５０パーセント（５０％）と未配当で繰り越されている前回までのグランド賞金額から成り立っている。グランド賞金の当選者が、基本ゲームの購入時に当該発明の方法を引用したアドオンゲームを購入していなかった場合、当選者はグランド賞金の代わりに積み立て基金により提供される無料のＱＰ宝くじ券を受け取る。当選ラッフル券に割り当てられたグランド賞の賞金は支払われずに、次回の抽選までグランド賞金基金（５０２）に繰り越し加算される。グランド賞金基金（５０２）はグランド賞の提示額を決めるために年金やその他の似たような手段で増額され、そこから年金や似たような手段を通してグランド賞の金額が複数年にわたって当選者に支払われる。また、グランド賞金は一括一時払い賞金である。グランド賞金基金（５０２）はジャックポット基金として知られ、グランド賞金はジャックポットとして知られている。
【００３２】
定額賞金基金（５０４）は、抽選期間の賞金基金（５００）５０パーセント（５０％）と、未配当で繰り越されている前回までの定額賞金から成り立っている。定額賞金基金（５０４）は一連の１００万ドル、１万ドル、５００ドル定額賞の単位に割り当てられ、次の方式のとおり定義される：
（ａ）定額賞金基金の７５パーセント（７５％）を、額面金額１００万ドルに切り捨てて、最大１００万ドルまでの賞金単位（５０６）に割り当てられるものとする；
（ｂ）定額賞金基金の残高の７５パーセント（７５％）を、額面金額１０万ドルに切り捨てて、最大１０万ドルまでの賞金単位（５０８）に割り当てられるものとする；
（ｃ）定額賞金基金の残高の７５（７５％）を、額面金額１万ドルに切り捨てて、最大１万ドルまでの賞金単位（５１０）に割り当てられるものとする；
（ｄ）定額賞金基金の残高の１００パーセント（１００％）を、額面金額５００ドルに切り捨てて、最大５００ドルまでの賞金単位（５１２）に割り当てられるものとする；
（ｅ）定額賞金基金の残高の１００パーセント（１００％）は、ＱＰ宝くじ券賞金（５１４）のための、１つ以上の賞金積み立て信託口座に預けるものとする。賞金積み立て口座の金額があらかじめ予定されていた金額を上回った時には、超課金は次のとおり定額賞金基金（５０４）に割り当てられるものとする。
【００３３】
定額賞金基金（５０４）の割り当ては、主催する州営宝くじの決断により、売り上げに肯定的なインパクトをもたらすために、修正されることもある。定額賞金基金の割り当て修正は割り当て率の変更や異なる賞金額の数などが含まれる。含まれる賞金額は無制限で、１０００万ドル賞金単位、５００万ドル賞金単位、２００万ドル賞金単位、１００万ドル賞金単位、５０万ドル賞金単位、２５万ドル賞金単位、１万ドル賞金単位、５０００ドル賞金単位、１０００ドル賞金単位、５００ドル賞金単位、２５０ドル賞金単位、１００ドル賞金単位、そしてＱＰ宝くじ券賞金単位である。
【００３４】
定額賞金の当選者が基本ゲーム購入時に当該発明の方法を引用したアドオンゲームを購入していない場合、当選者は該当の定額賞金の代わりに積み立て基金によって提供される無料のＱＰ宝くじ券を受け取る。当選者に配当されなかった定額賞金額は、次の抽選まで定額賞金基金（５０４）に加算されて繰り越される。また、定額賞金は一括一時払いあるいは年金払いの賞金である。賞金基金（５００）はグランド賞金基金（５０２）、あるいは定額賞金基金（５０４）にのみ割り当てられる。
【００３５】
図６は、当該発明の方法を引用したアドオンゲームが現存の州営ジャックポットゲーム宝くじに起用されているという仮定のもとに作られたモデルケースである。このモデルケースでは、仮定の毎週催行のアドオンラッフルゲーム抽選に、フロリダ宝くじが発行した２００６年１月１日から２００６年７月１日の間のフロリダ州のジャックポット宝くじゲーム（基本ゲーム）Ｌｏｔｔｏ(登録商標)、Ｍｅｇａ  Ｍｏｎｅｙ
(登録商標)とＦａｎｔａｓｙ５(登録商標)の、実際の宝くじ券売り上げデータを使用している。モデルケースは、宝くじ券売り上げ（６００）、定額賞金（６１０）、グランド賞金（６２０）、勝率（６３０）と、さらに次の記述事項で構成されている。
【００３６】
宝くじ券売り上げの部分（６００）は、毎週の抽選期間（６０１）の、基本ゲーム券の総売上（６０２）、当該発明の方法を引用したアドオンゲーム仮想販売率（６０４）、および、結果としての宝くじ券売上（６０６）と、毎週の抽選期間（６０１）の、当該発明の方法を引用したアドオンゲームのための週刊賞金基金（６０８）である。
【００３７】
定額賞金（６１０）の部分は、定額賞金基金の金額（６１２）、つまり前述の通り
、毎週の販売期間中の賞金基金の５０％（６０８）と未払いのまま繰り越されている定額賞金の総額である。前述の方式を使用し、定額賞金基金（６１２）は、一連の１００万ドル賞金単位（６１４）、１０万ドル賞金単位（６１５）、１万ドル賞金単位（６１６）、５００ドル賞金単位（６１７）に割り当てられ、その残高はＱＰ宝くじ券積み立て（６１８）にまわされる。この部分には、毎週の抽選期間中の部分的な賞金の架空支払い（６１９）も含まれており、当該発明の方法を引用したアドオンゲームによる仮想割率販売との相互関係が示されている。仮に基本ゲーム・プレーヤーの１０％が当該発明の方法を引用したアドオンゲームを購入した場合、統計的に、賞金当選者の中から、当該発明の方法を引用したアドオンゲームを購入して賞金支払いを受ける確率は１０％以内である。この例では、定額賞金総額の１０％（６１４−６１７）が支払われ、残りの９０％（６１４−６１７）が次の抽選日まで繰り越される。
【００３８】
グランド賞金（６２０）の部分は、グランド賞金基金（６２２）の金額、つまり前述の通り、毎週の販売期間中の賞金基金の５０％（６０８）と未払いのまま繰り越されている定額賞金の総額である。グランド賞金基金（６２２）は、前述の通り、グランド賞金（６２４）の発表金額を公表するために、年金やその他の似たような手段で増資される。この部分には、仮想のグランド賞の支払い（６２４）を示した仮想のグランド賞当選者数の欄（６２６）と、グランド賞の支払い確率（６２８）の欄がある
。グランド賞（６２４）は１つの賞金なので、毎抽選の結果は、全額払われるか、全く払われないかのどちらかである。基本プレーヤーの１０％のみが当該発明の方法を引用したアドオンゲームを購入した場合、統計的に見て、当該発明の方法を引用したアドオンゲームを購入したグランド賞当選ラッフル券保持者の確率と、その保持者がグランド賞金を受け取る確率は、１０％を超える事は無い。仮想のグランド賞が支払われなかった抽選では、グランド賞金は次の抽選に繰り越される。定額賞金（６１０）とグランド賞金（６２０）が増加するに従い、販売率（６０４）の伸びが予測される
。当該発明の方法を引用したアドオンゲームを購入するプレーヤーの割率が上がると
、定額賞金（６１０）とグランド賞金（６２０）が、ある抽選で支払われる可能性も高まる。
【００３９】
勝率（６３０）の部分は、基本ゲームの有資格者の人数（６３２）、あるいは、フロリダ宝くじが発行した２００６年１月１日から２００６年７月１日の間の、フロリダ州のジャックポット宝くじゲーム（基本ゲーム）Ｌｏｔｔｏ、Ｍｅｇａ  ＭｏｎｅｙとＦａｎｔａｓｙ５において、実際に３つ以上の数字が当たった「当選者」の総数と、毎週の抽選期間に提供されたラッフル賞の数（６３４）と、抽選期間にラッフル賞に当選する勝率（６３６）から構成される。実際のラッフル賞当選の勝率は抽選期間に換金された基本ゲーム券の数と抽選期間に提供された賞金の数で決定される。プレーヤーが基本ゲームで３つ以上の数字が当たってラッフル券を受け取る勝率は基本ゲームで決定される。
【００４０】
定額賞金基金（６１２）とグランド賞金基金（６２２）が相互に関与する事はない
。週１３と記された行（６４０）では、その前週にグランド賞金が仮想の支払いを行ったので、当該発明の方法を引用したアドオンゲームの宝くじ券売り上げは前週より低い結果となっている。この仮想の抽選期間において、アドオンゲームの宝くじ券売上げは２，８１４，０９６ドル、週間賞金基金額は１，４０７，０４８ドルにとどまったが、宝くじ主催者は１つの増資されたグランド賞金１，４９６，８６０ドル、３つの１００万ドル定額賞金、１２の１０万ドル定額賞金、３９の１万ドル賞金と、２７９の５００ドル賞金、総額で６，２２６，３６０ドルの賞金をこの抽選期間に提供している。賞金基金に相互関与が無いと、プレーヤーに賞金を一貫して提供する事が出来るという利点がある。つまり「賞金推進力」である。仮にグランド賞金基金（６２２）か定額賞金基金（６１２）のどちらかで、あらかじめ決められていた予備額かそれ以上の大きな支払いが履行されて賞金基金が不足状態になったとしても、第二の基準枠に到達するまで次の抽選の賞金基金（６０８）がより高い割率でその不足賞金基金に割り当てられる。例えば仮想の週１３（６４０）では、７０３，５２４ドルがグランド賞金基金（６２２）に、７０３，５２４ドルが定額賞金基金（６１２）にそれぞれ割り当てられている。グランド賞金基金（６２２）が前週の抽選で全額支払われている事から、賞金基金（６０８）の１００％が、週１３（６４０）に積み立てられる。つまり、１，４０７，０４８ドルがグランド賞金基金（６２２）に割り当てられる。このような割り当て率が、グランド賞金基金（６２２）の金額があらかじめ決められた予備基準枠に達するか超えるまで、つまり最小限のグランド賞金額が保証される必要額に達するまで続けられる。
【００４１】
図７は、当該発明の具体例に従って、宝くじゲームのサーバーの処理手順を示している。ゲームサーバーはオンライン基本ゲームかラッフルゲームのホストであり、また、複数のゲームエントリー（プレーヤー１名に最小限１組の数字）の受付手段、賞金一覧と複数のゲームエントリの保管手段、および、次の機能を実行するための管理手段が含まれている。宝くじ主催者は、宝くじゲームに参加するための第一の掛金を払った最少１名のプレーヤーから組数字を受け取る（７００）。ここで、第二の掛金である当該発明の方法を引用したアドオンゲームを購入するかどうかの指示も受け取る。宝くじ主催者は、アドオンゲームが購入されたかどうかも表示した、プレーヤーの組番号を記載した宝くじ券を発行する（７０２）。抽選後宝くじ券が主催者に提出され、抽選の結果、プレーヤーにラッフルゲーム参加資格があるか（７０４）を判定する。ゲームの結果がラッフルゲームへの参加資格を満たさない場合、プレーヤーのゲームは終了する。ゲームの結果がラッフル抽選への参加資格を満たした場合、主催者はラッフルナンバーを記載したラッフル券を発行し、基本ゲームと共にアドオンゲームが購入されたかどうかも記載される。（７０６）ラッフル抽選後ラッフル券が主催者に提出され、主催者はラッフルナンバーの数字が、公表された当選ラッフルナンバーのどれかと一致するかどうかにより、ラッフル券が賞金授与資格を得たか（７０８）判定する。ラッフル券に受賞資格が無い場合、プレーヤーのゲームは終了する。ラッフル券に受賞資格がある場合、主催者は当選ラッフル券に関わる基本ゲーム購入時にアドオンゲームが購入されたか（７１０）を判定する。当選券に関わる基本ゲーム時にアドオンゲームが購入されていた場合、宝くじ主催者は賞金基金から当選ラッフル券に準じた賞金額を支払う（７１２）。当選券に関わる基本ゲーム購入時にアドオンゲームが購入されていなかった場合、宝くじ主催者はプレイヤーが選ぶ組数字が記載されたＱＰ宝くじ券を発券し（７１４）、ラッフル賞金の代わりにラッフル券保持者に渡す。支払われなかった賞金額の１部分は次の抽選のための賞金基金に割り当てる（７１６）。
【００４２】
管理手段は、次の作業を行う：
（ａ）プレーヤーから組数字を受け取る（７００）；
（ｂ）プレーヤーの組番号を記載した宝くじ券を発行する（７０２）；
（ｃ）抽選の結果、プレーヤーにラッフルゲーム参加資格があるか（７０４）を判定する；
（ｄ）ラッフルナンバーを記載したラッフル券を発行し（７０６）；
（ｅ）基本ゲームと共にアドオンゲームが購入されたかどうかも記載される（
７０６）；
（ｆ）ラッフルナンバーが、公表された当選ラッフルナンバーのどれかと一致するかどうかにより、ラッフル券が賞金授与資格を得たか（７０８）判定する；
（ｇ）当選ラッフル券に関わる基本ゲーム購入時にアドオンゲームが購入されたか（７１０）どうかを判定する；
（ｈ）当選ラッフル券に関わる基本ゲーム購入時に、アドオンゲームが購入されていた場合、賞金基金から当選ラッフル券に準じた賞金額を支払う（７１２）；
（ｉ）当選ラッフル券に関わる基本ゲーム購入時にアドオンゲームが購入されていない場合、プレイヤーが選ぶ組番号が記載されたＱＰ宝くじ券を発券し（７１４）、支払われなかった賞金額の１部分は次の抽選のための賞金基金に割り当てる（７１６）
。管理手段とは、当該発明の方法を引用したオンラインゲームとラッフルゲームを行うコンピュータープログラムが記憶されているコンピューター判読可能な媒介であり
、コンピュータープログラムはここに説明される手順を実行するコンピューターインストラクションからなるものである。
【００４３】
図８は、一回のラッフルゲームに複数の掛け金払いを可能にし、支払われない賞金は次のラッフル抽選に繰り越されるという特徴を持つ独立した基本ラッフルゲーム抽選としてのラッフルゲームのホスト手段を表示している。ラッフルゲーム主催者は次のように抽選を主催する。ラッフルゲーム主催者は第一の掛け金２０ドルと第二の掛金１０ドルの基本ラッフルゲームを複数のプレーヤーに販売する。第一の掛け金は第二の掛け金より金額が大きい（８００）。各ラッフルゲームは独自のラッフルナンバーあるいは組数字が記載され、次のラッフル抽選に自動的にエントリーされる。
【００４４】
プレーヤーは掛け金のオプションを選び、ラッフルゲーム主催者は独自のラッフルナンバーと掛け金、あるいはラッフルゲームに支払われた掛け金に関わる組数字が記載されたラッフル券を発行する（８０２）。複数のラッフルナンバーが、一枚のラッフル券に印刷されている。また、掛け金あるいは各ラッフルゲームに支払った掛け金の組数字がラッフル券に印刷される。
【００４５】
ラッフル抽選を行い、当選ラッフルナンバーを認定する（８０４）。賞金は抽選順に支払われる。ラッフル主催者は当選者からラッフル券を受け取り（８０６）、そのラッフル券に賞金授与資格があるか（８０８）判定するため、印刷されているラッフルナンバーが認定された当選番号と一致するか確認する。ラッフルナンバーが認定当選番号と一致しなければ、プレーヤーのゲームは終了である。ラッフルナンバーが該当する抽選の認定当選番号のどれかと一致すれば、当選くじ券の購入は、第一掛け金または第二掛け金のどちらだったか（８１０）判定する。
【００４６】
第一ラッフル賞あるいは第二ラッフル賞の賞金は、公表された認定当選番号とラッフルナンバーが一致した場合に支払われる；第一ラッフル賞は第二ラッフル賞よりも金額が大きいため、ラッフル券に支払った掛け金が影響する。一回におけるラッフル抽選に提供される第一ラッフル賞の総額は、抽選期間の宝くじ券売り上予測のほぼ５０％と前回までのラッフル抽選で支払われなかった賞金の合計に等しく、第二ラッフル賞の総額は第一ラッフル賞の総額よりも低くなっている。
【００４７】
プレーヤーがラッフルゲームの第一掛け金を購入した場合、１００万ドルの第一ラッフル賞がプレーヤーに支払われる（８１２）。第二掛け金を購入した場合、１０万ドルの第二ラッフル賞がプレーヤーに支払われる（８１４）。第二ラッフル賞は第一ラッフル賞よりも金額が小さい。第二ラッフル賞が支払われた場合、第一ラッフル賞と第二ラッフル賞の差額は次の抽選に繰り越される（８１６）。この時の第一ラッフル賞と第二ラッフル賞の差額は９０万ドルである。
【００４８】
ラッフル賞金支払いを予測不可能にする目的で、「不当選」ラッフルナンバーあるいは「不当選ユニット」が、ラッフル抽選にエントリーされる。不当選ラッフルナンバーまたは不当選ユニットが抽選された場合、この抽選の賞金は支払われない。そして、支払われなかった賞金は、次の抽選に繰り越される。また、抽選にエントリーされる「不当選」ラッフルナンバーまたは「不当選ユニット」の数は、予測不可能な結果、つまり、基本ゲームで３つあるいはすべての数字が抽選結果と一致した当選者の数に関連している。
【００４９】
また、当該発明の具体例に沿ってラッフルゲームのホストを勤める宝くじゲームサーバーも提供される。このゲームサーバーには、複数のラッフルゲームを受理する手段、賞金表と第一掛け金および第二掛け金の支払い金額が関連する複数のゲームの保管手段および管理手段が含まれる。
【００５０】
管理手段は次の作業を行う：（ａ）１回のラッフル抽選のラッフルゲームに関与する、第一掛け金および第二掛け金の金額の表示を受理する、（ｂ）独自のラッフルナンバーまたは組数字と掛け金の金額表示が記載されたラッフル券を発行する、（ｃ）ラッフルゲームに賞金授与資格があるかどうかを決定する、（ｄ）当選ラッフルゲームは第一と第二のどちらの掛け金を払っているか決める、（ｅ）当選ラッフルゲームに第一掛け金が支払われている場合には、第一ラッフル賞金を賞金基金から支払う、（ｆ）当選ラッフルゲームに第二掛け金が支払われている場合には、第二ラッフル賞金を賞金基金から支払う、（ｇ）当選ラッフルゲームに第二掛け金が支払われている場合には、第一ラッフル賞金と第二ラッフル賞金の差額の全額あるいは１部を賞金基金に割り当てる。つまり、管理手段とは、当該発明の方法を引用したオンラインゲームとラッフルゲームを行うコンピュータープログラムが記憶されているコンピューター判読可能な媒介であり、また、ここに説明される行程がコンピューターによって実施された場合のコンピューターインストラクションからなるコンピュータープログラムである。
【００５１】
図９および図１０では、掛け金を割り増したプレミアム掛け金を提供する事で、宝くじ主催者の歳入を増やす、現存の宝くじゲームの改良案を表示している。これらの改良案が、当該発明の方法を引用したアドオンゲームを付加した基本ゲームに導入されると、プレーヤーにより高い勝算を与えるので、当該発明の方法を引用したアドオンラッフルゲームに参加するプレーヤー数が増加する。
【００５２】
図９では、ゲーム終了後プレーヤーに修正を行う機会を提供する特徴を持つ基本ゲーム改良案を示している。任意に抽選が行われる結果として当選者が決定する掛金付きの宝くじゲームを複数のプレーヤーに販売する（９００）。宝くじ主催者はプレーヤーから６つの選択された組数字と掛け金を受け取る（９０２）。またはプレーヤーは、組数字を渡す代わりにクイックピックゲームを要求する。宝くじ主催者はプレーヤーの組数字を記載した宝くじ券を発行する（９０４）。宝くじ主催者は抽選を行い、当選番号を認定する（９０６）。
【００５３】
宝くじ主催者はプレーヤーから宝くじ券を受け取り（９０８）、記載されている宝くじ券の組数字が、該当する抽選の公表された当選番号のすべてと一致しているか（９１０）が判断される。宝くじ券に印刷されているすべての数字（最大数の可能な一致）が順不同で、該当するロト抽選の当選結果と一致する場合は、ジャックポットとなり、当選者にジャックポット賞金あるいはグランド賞金を支払う（９１２）。宝くじ券に印刷されているすべての数字（最大数の可能な一致）の一部が、該当するロト抽選の当選結果と一致する場合には、抽選期間が終わった後で、プレーヤーは宝くじ券に印刷されている数字の中から、最少１つの不一致数字を、最少１つの整数に修正するクレジットの買戻しを当選者に提供し（９１４）、勝率をあげる事が出来る。つまり、宝くじ券に印刷されている不一致の数字が「７」であるとすると、プレーヤーには「数字の修正」、あるいは「７」の代わりに「８」か「６」に修正するクレジットの買い戻し請求というオプションが抽選期間後に与えられ、これによって勝率を高める事ができる。宝くじ主催者は、修正によってプレーヤーの利益が増加するか（９１６）判断する。修正された数字「６」か「８」によって、一致する数字が増えるか、利益が高まるのであれば、修正された数字は有効数字と見なされ、宝くじ券が修正された番号で換金され（９１８）、賞金が支払われる。修正された数字「６」か「８」によって、一致する数字が増える事が無く利益が高まる事が無い場合には、変更は無かったものとされ、宝くじ券は変更なしで換金されるか破棄される（９２０）。プレーヤーが修正出来る不一致ナンバーの数あるいはプレーヤーが修正出来る整数の数はくじ購入時の掛け金額に関与する。
【００５４】
番号の修正により当選者が受け取る賞金額は減額されている、つまり修正した番号を最初に選んでいた場合に受け取るべき賞金額の半額となる。また、プレーヤーは複数の数字を複数の整数に変更するオプションを与えられている。また、ゲーム終了後の数字変更という特徴は、プレミアム掛け金あるいは第二掛け金である２ドルの掛け金が支払われている場合のみ利用可能である。また、利益を高めた結果支払われる賞金は、パリミューチュエル賞金あるいは賞金基金がひとつのカテゴリーのすべての当選者、つまり一致番号数が３、４，５および６つの場合、平等に割り当てられる場合に限定される。また、増幅の特徴を利用せずには支払いが行われない賞金を要求するためには、増幅の特徴は適用されない。つまり、無料宝くじ券の賞を対象として数字を変更する事は出来ない。 
【００５５】
図１０では、ゲーム前にプレーヤーの利益を増幅させる特徴を持つ改良された基本宝くじゲーム方法を表わしている。宝くじ主催者は掛け金付きの宝くじゲームを複数のプレーヤーに販売する。プレーヤーは抽選で選ばれる数字の数より多い数つまり６つの代わりに８つの数字を選ぶことができる（１０００）。この例では、宝くじ主催者はプレーヤーから抽選で選ばれる数字の最大数より多い組数字と掛け金を受け取る（１００２）。
【００５６】
また、プレーヤーは組数字を渡す代わりに、クイックピックゲームを要求する。この場合、ゲームの組数字は抽選で選ばれる数字の最大数よりも多く、その数字は宝くじ主催者によって任意に選ばれる。宝くじ主催者はプレーヤーの組数字が記載された宝くじ券を発行する（１００４）。宝くじ主催者は抽選を行い、当選番号を認定する（１００６）。
【００５７】
宝くじ主催者はプレーヤーから宝くじ券を受け取り（１００８）、宝くじ券に表示されている８つの数字のいずれかが該当するロト抽選で選ばれた数字、すなわち６つの数字のうち賞金授与資格を得るための最小限の当選番号の数が一致しているか（１０１０）が判断される。宝くじ券に記載されている数字のうち、当選に該当する最小限、つまり３つ以上が公表された当選結果と順不同で一致する場合、カード保持者は当選者となり当選賞に準ずる賞金が支払われる（１０１２）。宝くじ券に表示されている数字のうち当選に該当する最小限の数、つまり３つ以上が公表された当選結果と一致した数字がない場合、プレーヤーのゲームは終了する（１０１４）。
【００５８】
プレーヤーは勝率を上げるために、１回のゲームで複数の追加数字を選ぶオプションを与えられている。つまり、追加可能な数字の数は掛け金の金額によるものである
。利益を増幅した結果支払われる賞金は、パリミューチュエル式賞金あるいは賞金基金からそれぞれ一致番号の数が３，４，５及び６つのカテゴリーのすべての当選者に平等に割り当てられる場合に限定される。また、増幅の特徴を利用せずには支払いが行われない賞金を要求するためには、増幅の特徴は適用されない。つまり、無料宝くじ券の賞を対象として数字を変更する事は出来ない。
【００５９】
図１１は、当該発明の方法を引用した宝くじゲームや他の宝くじ主催者が電子宝くじゲームネットワークを通して経営するオンラインゲームの簡易化と発券の迅速化手段のための発券ターミナル・インターフェイス（１１００）を表わしている。発券ターミナル・インターフェイス（１１００）は、オートメーション化された発券機として提供されるもので、ここに説明される方法と組み合わせる事により、処理速度が早まり、戦略的な設置法として、たとえばスーパーのレジ待ちなどでプレーヤーが「衝動的なゲームプレイ」を行うよう促進する。
【００６０】
発券ターミナル・インターフェイスの構成は次の通りである。プレーヤーが直接接する外側のハウジング（１１０２）部分と、プレーヤーを認証する入力デバイス（１１０４）、すなわちキーパッド部分、プレーヤーが個人身元確認コード（ＰＩＮコード）やその他の事項を入力したりゲーム通信や次回の抽選賞金を図表で画面に表示したりするためのＧＵＩかＬＣＤスクリーンを使ったタッチスクリーン（１１０６）と、クレジットカードや政府交付の身分証明書を判読するためのカードリーダー（１１０８）、指紋センサー（１１１０）かあるいはその他の生物学的測定センサー、ターミナルに電力を導入するための手段、つまり電気ソケットに接続された電気コード、プレーヤーの賭け組数字や抽選の情報などをオンライン宝くじ券に印刷するための印刷装置（１１１６）、メモリー手段（１１１８）、ターミナルの操作を管理するターミナルプロセサー（１１２０）、入力ボタン、キー、スイッチや類似の入力受信手段を含む構成になった、プレーヤーの通信を受信するための入力デバイス、宝くじ券を連続して供給するための宝くじ券用紙保管手段（１１２２）、印刷後に宝くじ券を供給するため最低１セットの用紙セット（１１２４）、プレーヤーの存在や行動を感知するためのモーション・センサー、現在カウンター超しに販売されている宝くじ券販売機に使用されているものに類似した、通常のインターフェイス回線の設計（１１１２）、ターミナルをセントラルサーバーあるいはセントラル処理システムに接続するためのネットワーク手段（１１２６）、プレーヤーの要望を、ターミナルがセントラルサーバーあるいはセントラル処理システムとの間でシグナルを送受信するための通信手段、コンピューターが判読可能な保管媒体（１１２８）に具体化されたインストラクションを含むコンピュータープログラム、プレーヤーのコマンドを受理し、データをセントラル処理システム（１２０２）に伝達し、セントラル処理システム（１２０２）からコマンドを受理し、ユーザーの組数字を宝くじ券に印刷するように組まれたコンピュータープログラム。
【００６１】
図１２は、複数の発券ターミナル・インターフェイス（１１００）、複数の登録ターミナル（１２０４）、最小１台のセントラル処理システム（１２０２）とそれらを監督するセントラル機関あるいは宝くじ主催者（１２２２）、そして最小１名のプレーヤー間における安全なネットワーク関係（１２００）を示している。
【００６２】
プレーヤー登録ターミナル（１２０４）は、プレーヤーの登録データを、セントラル処理システム（１２０２）に送受信する（１３０２）義務がある。データを受理すると、新しいプレーヤー記録（１２１０）を作り、データファイルに記憶し（１３０４）、１ユニットのプレーヤーの認定情報がデータベースやコンピューターが判読可能な媒体（１２１２）上でサーチ出来るような手段を提供する。この作業により、プレーヤーは、複数の宝くじ券発行ターミナル・インターフェイス（１１００）で識別が可能となる。登録ターミナル（１２０４）は、登録手続きの段階で宝くじ主催者がプレーヤーの身元と年齢を確証する事が可能な宝くじ小売販売機であるが、確証技術は進歩するため、オートメーション手段を通しての可能性もまたあるといえよう。つまり、プレーヤーはインターネットに接続した個人のパソコン（１２１４）またはインタラクティブテレビ（１２２６）、携帯電話またはＰＤＡ（１２２４）から登録する事も可能である。最終的な確認や有効化はプレーヤー登録ターミナル（１２０４）で発生する。つまり、宝くじ小売り販売機はすでにプレーヤーが直接設定したユーザー名とパスワードあるいは身元証明手段を受信し、プレーヤーの年齢と身分を確認し、プレーヤーの身元確認可能なデータである指紋を記録するか、独自の身元確認物をプレーヤーに割り当てる。そして、セントラル処理システム（１２０２）に最終データとして情報を送る。プレーヤーは、発券ターミナル・インターフェイス（１１００）やインターネットに接続された個人のパソコン（１２１４）やその他の手段を使って自己の情報であるプレーヤー記録（１２１０）を変更する事が出来る。登録過程の一部として次の項目がプレーヤーによって修正可能である。以下、これらはプレーヤー登録、プレーヤー・プロフィール、プレーヤー記録と引用されるものとする。
【００６３】
（ａ）個人情報：プレーヤーの身分と年齢は、政府交付の身分証明などを通して宝くじ小売り販売者によって確認される。訂正される情報は、氏名、住所、電話番号、Ｅメールアドレス、運転免許番号、身分証明証番号、出生日、プレーヤーの署名、ユーザー名とパスワードである；
（ｂ）支払い情報：支払いに関する情報は、将来、ゲームの掛金支払いに電子手段を希望する場合に、修正および記録される。支払い情報は、銀行口座番号、ルーティング番号、デビットカード番号、クレジットカード番号、ＥＦＴデータ、ＡＣＨ送金データ、ギフトカードデータ、バックアップセカンダリーペイメント手段のデータ、電子宝くじゲーム購入取引口座開設用データである。支払い手段は、登録作業の際に
、名目上の金額でテストが行われる。プレーヤーは支払い情報に関する許可証に署名をして提出し、プレーヤーの登録記録に加えられる；
（ｃ）個人の身元確認情報：個人の身元確認情報には、個人の身分証明番号、ユーザー名、パスワード、スライド式あるいは電子判読可能な、ユーザーに関わるカード
、支給された本人に関わる電子デバイスＩＤナンバー、網膜スキャンや指紋などのユーザーの生物測定データの収集などが含まれる；
（ｄ）ゲームプレイの選択事項：ユーザーは「ゲームの好み」を選択すると、宝くじ主催者が、ターミナル・インターフェイスからプレーヤーの個人の身元確認情報を受信・照合した上で、ターミナル・インターフェイス（１１００）に表示が出る。ゲーム参加の選択事項には、特定の組番号、クイックピック組数字の請求、発行希望回数、ロト、メガ・ミリオン、プレイ４など、参加を希望する特定の抽選ゲームの種類
、アドオンゲームの追加、が含まれる。プレーヤーは、最少１ゲームの連続自動購買を選択する事が出来る。また、プレーヤーは、記録されている銀行口座へ、賞金の自動振込を要求することが出来、その場合、宝くじ券は換金不可の領収書として発行される。これより、ゲームプレイの選択事項は「未記録のゲームプレイ要求」あるいは「ゲームプレイの好み」とも引用されるものとする。
【００６４】
発券ターミナルインターフェイス（１１００）は、セントラル処理システム（１２０２）と登録プレーヤーの間にあって、最も重要なインターフェイスであり、プレーヤから個人の身元確認情報を受け取り、その情報をシグナルに切り替えてセントラル処理システム（１２０２）に送り、セントラル処理システム（１２０２）から送られてくるプレーヤー記録（１２１０）に記録されたゲームの選択事項や好みも含めたゲームプレイ情報（１２１６）を画面に表示し、プレーヤーのゲームコマンドを受理し
、内容を確認し、宝くじ券を発行するという役割を果たす。発券ターミナルインターフェイス（１１００）は、プレーヤーの登録や登録記録（１２１０）の変更を受付け
、それらのデータをセントラル処理システム（１２０２）に送信する。また、ターミナルインターフェイスは支払い受理手段に適しており、リクエストが出されたゲームの掛け金を受け取る。プレーヤーがアクセスしやすいよう、宝くじ主催者の事業領域全体にわたって複数のターミナルインターフェイス（１１００）が戦略的に設置されていると好ましい。
【００６５】
セントラル処理システム（１２０２）の構造は、複数の登録ターミナル（１２０４）から送られるプレーヤーの登録データの伝達および受理のためのネットワーク手段、複数のターミナルインターフェイス（１１００）を通して送られる複数のプレーヤーのゲーム参加要求などを代表する、個人の身元確認情報を伝達および受理するためのネットワーク手段、複数のプレーヤー記録（１２１０）や関連するゲームの処理、宝くじゲームの処理と管理のためのコンンピュータープログラムが記憶されているコンピューターの判読可能な媒体（１２１２）、ここに定義された手段がコンピューターによって実施される場合のコンピューターインストラクションから形成されるコンピュータープログラム、プレーヤーの個人身元確認情報を使用して、プレーヤーの記録（１２１０）を位置づけアクセスするための記録組織とアクセス手段、特定の抽選においてゲームの受付を切り上げるまでの残り時間を検出する手段、プレーヤーの金融機関、つまり銀行やクレジットカード発行会社へ処理伝達をするための安全なゲート（１２０８）へのアクセス、そして複数のネットワークプロセサーから成り立っている。
【００６６】
セントラル処理システム（１２０２）はゲームの要求のアフターサービスをし、プレーヤーの記録（１２１０）の使用をコーディネートする。それにより、ゲームの要求を認証し、プレーヤーがあらかじめ設定した金融機関（１２２０）から電子手段を使って掛け金の請求と受理をおこない、ゲーム情報（１２１６）をプレーヤーに確認し、プレーヤーのゲーム取引を記録し、ネットワーク（１２００）上にある発券ターミナルインターフェイス（１１００）において、宝くじ券の印刷を行う。
【００６７】
図１３Ａ及びＢは、当該発明ゲームのスピード発券のための操作手段である。好ましい手段としては前述の通り、まずプレーヤが登録ターミナル（１２０４）で登録をする。ターミナルはプレーヤーの登録データを受信しセントラル処理システム（１２０２）に送信する。（１３０２）セントラル処理システム（１２０２）で新しいプレーヤー記録（１２１０）が作成され、記録ファイルにプレーヤー記録として記録される（１３０４）。
【００６８】
プレーヤーが定期的に抽選に参加したい場合は、、ターミナルインンターフェイス（１１００）にプレーヤーは個人身元確認情報を入力し（１３０６）、情報はセントラル処理システム（１２１０）へ伝送される。セントラル処理システム（１２０２）は個人身元確認情報、すなわち指紋や網膜スキャンの情報を、ターミナルインターフェイス（１１００）から受理し、登録されているプレーヤー記録（１２１０）のプレーヤーのデータベースであるコンピューターが判読可能な媒体（１２１２）と照合する（１３０８）。そして情報が一致したか（１３１０）判定する。一致する情報が見つからない場合は、セントラル処理システム（１２０２）はタッチスクリーン（１１０６）を通して「当社のデータベースに、該当するプレーヤーが見つかりませんでした。登録ターミナルで登録を行ってください。」と、不一致のメッセージを表示する（１３１２）。情報が一致した場合には、セントラル処理システム（１２０２）は取引に必要な最小量のデータを確保するために、プレーヤー記録（１２１０）に入っているゲームプレイの要求、金融機関情報などの品質管理調査を実行し、プレイヤーの記録は完全か（１３１４）判断する。プレーヤーの記録が不十分な場合、セントラル処理システム（１２０２）はタッチスクリーン（１１０６）を通して、「プレーヤー登録が不十分です。登録ターミナルで登録を行ってください。」と登録不十分のメッセージを表示する（１３１６）。つまり、資格管理調査はプレーヤー登録が完了している前提で行われる。身元確認が一致した場合、セントラル処理システム（１２０２）は、プレーヤー記録（１２１０）にアクセスし、プレーヤーのゲーム選択事項（
１２１６）、すなわち選択したゲーム、特定の組数字、ゲーム参加回数、アドオンゲーム、要求されたゲームの合計掛け金額などを含む「プレーヤーの好み」を引き出し、プレーヤーの記録情報を送信する（１３１８）。ターミナルインターフェイス（１１００）に記録されたゲームの選択事項を表示し（１３２０）、プレーヤーは返答を促される。氏名やゲームデータが間違っている場合にインターフェイスを促すオプションとともに図式情報にもプレーヤーの名前が含まれる。取引の作業中プレーヤーがあらかじめ決められた時間内にターミナルインターフェイス（１１００）に回答をしない場合には、時間切れとなり要求は削除される。プレーヤーはターミナルインターフェイス（１１００）上で選択したゲームの購入または編集をするか（１３２２）確認する。プレーヤーの支払いに必要なコード名、例えば「ジョンの当座預金口座」などは、登録時に記録され、取引請求がどの金融機関へ送られるかをプレーヤーに知らせるためにタッチスクリーン（１１０６）に表示される。また、プレーヤーは複数の支払い手段を記録し、ゲームプレイ購入時にその中から１つを選択する事が出来る。また、プレーヤーはターミナルで掛け金を支払う事も出来る。また、ターミナルインターフェイス（１１００）を通して組番号の追加やゲームプレイの要求をし、プレーヤー記録（１２１０）に追加する事も出来る。
【００６９】
プレーヤーがターミナルインターフェイス（１１００）を通して購入確認をした場合、つまり特定のゲームやアドオンゲームの選択や消去をし、購入、印刷あるいは継続を促した場合、最終請求を表すシグナルがセントラル処理システム（１２０２）に伝送され、請求されたゲームの合計掛け金額を計算し、安全な支払いゲート（１２０８）を通してプレーヤーの銀行あるいは金融機関（１２０６）に取引を提示する（１３２６）。金融機関とは、すなわちプレーヤーの記録（１２１０）に示されている銀行、デビットカード発行業者、クレジットカード発行業者、宝くじゲーム口座や金融機関である。プレーヤーが表示されているゲームの情報を編集、すなわち購入ゲームの変更、組数字やアドオンのオプションなどプレイヤー記録や要求の修正を受ける（１３２４）場合、変更はまずプレーヤー記録（１２１０）に記録され、プレーヤーの銀行あるいは金融機関（１２０６）に提示される。プレーヤーは変更内容を取引内容のみに制限するか、後のゲーム請求にも影響するプレーヤー記録の内容を変更するかの選択が出来る。
【００７０】
プレーヤーの記録（１２１０）に記録されているプレーヤーの銀行あるいは金融機関（１２０６）は、取引を受理（１３２８）し、プレーヤーの口座（１２２０）残高によって取引は承認されたか（１３３０）判定し、結果をセントラル処理システム（１２０２）へ送る。承認された場合、銀行あるいは金融機関は承認通知と承認金額をＳＳＬ手段か類似の安全なゲート（１２０８）を通して、セントラル処理システム（１２０２）へ承認の送信と、セントラル機関あるいは宝くじ主催者（１２２２）と提携した口座（１２１８）へ送金（１３３８）する。セントラル機関（１２２２）はセントラル処理システム（１２０２）とゲーム運営全体への権限を持つ実体である。セントラル処理システム（１２０２）は即刻取引の回答を受け取り、それが承認された場合、承認通知の受け取り後、セントラル機関によって資金が受理される場合に通常使われる従来的な手段を通して、適切な基金が受理され、ゲームプレイの完了後、取引は承認される。第３者的な処理システム、例えば、ｗｗｗ．ａｕｔｈｏｒｉｓｅ．ｎｅｔなどが、プレーヤーの取引処理の契約をすることもある。この場合、ゲームの掛け金は、第３者の支払い処理要領に従って、従来的な方法で、プレーヤーの金融機関から引き出され、報告される。
【００７１】
セントラル処理システム（１２０２）が取引拒否の通知を受理（１３３２）した
場合
、セントラル処理システム（１２０２）が、ターミナルインターフェイス（１１００）を通して
、「取引は、あなたの金融機関によって承認されませんでした。」と、プレーヤーに否認の結果を送信（１３３４）し、否認の表示がされ取引が終了する（１３３６）。セントラル処理システム（１２０２）が取引承認の受理（１３４０）した場合、セントラル処理システムは、取引と関連するプレーヤー記録（１２１０）を記録し（１３４２）、そこで、ゲームの組数字が、該当する抽選でプレーヤーに関連づけられ、セントラル処理システム（１２１０）は、ターミナルインターフェイス（１１００）に、プレーヤーのゲームプレイ請求に関連した承認と宝くじ券印刷のコマンドを送信（
１３４４）する。ターミナルインターフェイス（１１００）は取引成立の「取引は、あなたの金融機関によって承認されました。」と、承認の表示がされ、宝くじ券を印刷し（１３４６）、取引が完了する。また、プレーヤーの署名が、記録（１２１０）から引き出され、宝くじ券の裏面に印刷される。当選賞金がプレーヤーの口座に自動振り込みされる場合には、宝くじ券の代わりに、換金不可な取引領収書が印刷される。セントラル処理システム（１２０２）、あるいは、その提携機関は、取引や取引の試みについての情報をプレーヤーの記録（１２１０）に記録されているメールアドレスにＥメールで送信する。Ｅメールの内容は、取引詳細、請求の状況、ターミナルインターフェイス（１１００）の場所、ゲームナンバー、抽選日と時間、取引領収書などである。ゲームの取引は、プレーヤーが持つ公認能力に関与する。つまりプレーヤーが宝くじ券を紛失した場合、セントラル機関（１２２２）、つまり宝くじ主催者は、取引のコピーをたよりに、当選ゲーム券の持ち主を決定する。セントラル機関（１２２２）は当選番号のプレーヤーに通知をし、結果を「当選です！！！０７、１４、４３の３つのナンバーが一致したので、合計９．０５ドルの賞金です。」のような電子メッセージで送信する。プレーヤーは、現金賞金の全額を、プロフィールに記録されているプレーヤーの金融機関（１２０６）あるいは別の口座に自動送金の請求が出来る。宝くじ主催者であるセントラル機関（１２２２）はこのサービスを行うために発生する取引手数料や引き受け手数料を受け取る。
【００７２】
宝くじ主催者であるセントラル機関（１２２２）は、ターミナルインターフェイス（１１００）を設置している小売業者に宝くじ売り上げの割率料金の代わりに、定額のレンタル料金を支払う。または、セントラル機関（１２２２）は定額のレンタル料金と低めの宝くじ売り上げの割率料金の合計金額をターミナルインターフェイス（１１００）を設置している小売業者に支払う。また、宝くじ主催者であるセントラル機関（１２２２）は登録プレーヤー勧誘のためにプレーヤーに無料の宝くじ券を提供する。
【００７３】
ターミナルインターフェイス（１１００）は、プレーヤーの携帯電話またはＰＤＡ（１２２４）、パソコン（１２１４）やインタラクティブテレビ（１２２６）など、インターネットのウェブサイトやネットワークからユーザー名、パスワード、プレーヤーに発行された個人の認証情報、またはプレーヤーの個人ターミナルインターフェイスである携帯電話またはＰＤＡ（１２２４）、パソコン（１２１４）やインタラクティブテレビ（１２２６）が自動的に認証されることで、プレーヤー記録（１２１０）にアクセス可能でき、換金不可の電子領収書が宝くじ券の代わりに発行できる。
プレーヤーが当選した場合、前述の通り当選賞金はプレーヤーの金融機関（１２０６）の口座（１２２０）か、プレーヤー記録（１２１０）に記録されている口座（１２２０）に自動送金される。
【００７４】
前述の内容は発明の基礎部分のみを例証したものである。よって、特殊技術面には多くの修正や変更が発生する可能性が高いため、当該発明をここで解説した手段のとおりに限定する事は好ましくない。したがってすべての適切な修正、手段、手段・特徴や該当する事項の組み合わせなどは、アドオンラッフルゲームを供給する目的で当該発明の範疇に入るものである。
【００７５】
これまでに説明されたすべてまたは大部分の基本手段に関する特定の具象例、詳細
、拡張のひとつひとつを具象化して履行する必要性は無いと理解いただきたい。ゲーム、手段、システムは、当該発明の様々な具体例が作動する状況での前後関係を理解する試みのために、外部的な引用の必要性を減らす目的で上記のように説明された。さらにいうと、すべての具体例はここに述べられたすべてのゲーム、手段、システムに適用可能で、当該発明の範疇に入るものと理解いただきたい。
【００７６】
宝くじゲームは、カジノゲーム、ビンゴゲーム、ケノゲーム、ポーカーゲーム、ブラックジャックゲーム、クラップスゲーム、ルーレットゲーム、スロットマシーンゲーム、プログレッシブゲーム、ラッフルゲーム、ダイスゲーム、カードゲーム、スピンホィールゲーム、オークション、コンテスト、ステークス競馬、抽選、スキルゲーム、偶然が結果をもたらすゲーム、スポーツくじ、結果予想が不可能なくじと同種であり、プレーヤーは掛金を払って参加する。
【００７７】
何らかの理由でこの特許の条項が無効あるいは実施不可とみなされるならば、そのような条項は省かれるべきで、そのような条項を省略した当該特許は完全に有効で効力があるものである。
【図面の簡単な説明】
【００７８】
当該発明は付随の図式に描かれた形で具体化する事が可能であるが、注意していただきたいのは、これらの図式は例証にすぎず、描かれている構造への変更は可能である。
【００７９】
その他の様々な対象物、特徴、当該発明に付随する利点も同様に、付随の図式に連結させて考慮すると、より理解が深まるものである。
【図１Ａ】当該発明の具体例に従った、アドオンラッフルゲームのホストの構造である。
【図１Ｂ】当該発明の具体例に従った、アドオンラッフルゲームのホストの構造である。
【図２】現在、全米で行われている州営宝くじの、ラッフルデータの表である。
【図３】フロリダ・ロトゲームが発表した２００６年のデータをもとに作成した平均的なジャックポットの規模とそれに対応する宝くじ券の売り上げ額の関係を表で表したものである。
【図４】当該発明の方法を引用したラッフルゲームに使用される、ロト券とラッフル券の表面の図である。
【図５】当該発明の方法を引用した賞金基金の分配を表示したチャートである。
【図６】２００６年にフロリダ・ロトゲームが発表したデータをもとに、当該発明の方法を引用したアドオンゲームが現存のフロリダ州営オンライン・ジャックポットゲーム宝くじに起用されているという仮定の下に作られたモデルケースである。
【図７Ａ】当該発明の具体例にそって、宝くじゲームのサーバーの手順を示している。
【図７Ｂ】当該発明の具体例にそって、宝くじゲームのサーバーの手順を示している。
【図８】当該発明の具体例にそって、独自のローリング・ラッフル基本ゲームの構造を示している。
【図９Ａ】ゲーム終了後の数字修正という特徴を持つ基本ゲームの区分を表した図式である。
【図９Ｂ】ゲーム終了後の数字修正という特徴を持つ基本ゲームの区分を表した図式である。
【図１０】ゲーム終了前に勝算を高めるという特徴を持つ基本ゲームの区分を表した図式である。
【図１１】当該発明の方法を引用した宝くじゲームや他の主催者によるオンラインゲームの、発券簡易化を目的とした発券ターミナル・インターフェイスをあらわしている。
【図１２】複数の発券ターミナル・インターフェイス、複数の登録ターミナル、最小１台のセントラル処理システムとそれを監督するセントラル機関あるいは宝くじ主催者、そして最小１名のプレーヤー間の、安全なネットワーク関係を示している。
【図１３Ａ】当該発明ゲームプレイのスピード発券のための操作手段である。
【図１３Ｂ】当該発明ゲームプレイのスピード発券のための操作手段である。
【発明を実施するための形態】
【００８０】
以下は当該発明の方法を引用したアドオンラッフルゲーム用のゲームルールの提案である。ルールは当該発明の一具体例として提案されるので、固定的あるいは限定的なものではない。
【００８１】
（目的）
これらのルールは、＿＿州／連邦宝くじによって運営される宝くじアドオンゲームであるＬｉｇｈｔｎｉｎｇ  Ｓｔｒｉｋｅｓ  Ｔｗｉｃｅゲームを行うための手順と必要条件を制定するものである。
【００８２】
（定義）
前後関係によって異なる意義が必要とされない限り、次の定義が適用される。
（ａ）基本ゲームプレイ：Ｌｉｇｈｔｎｉｎｇ  Ｓｔｒｉｋｅｓ  Ｔｗｉｃｅアドオンゲームを許可するジャックポット宝くじゲームのひとつのゲームである；
（ｂ）抽選：ゲームの各賞金の当選者を決定する当選ナンバーを選出する公式の手段である；
（ｃ）定額賞：グランド賞に対して金額が保証されている全ての賞で、一括一時払いである。ここに述べられたルール例以外では、賞金レベルとして宝くじ主催者により決められた賞金金額に同額である；
（ｄ）定額賞金基金：定額賞金支払いのために蓄えられる賞金基金である。いずれの抽選においても、定額賞金基金は賞金基金の５０％と前回までの抽選で繰り越されてきた定額賞金の合計とされるが、広告された定額賞に見合うために必要な基金額によって高低もありうる；
（ｅ）「宝くじ券」または「券」：ターミナルが発行する有効宝くじ券のことで、１つ以上のゲームの名前と、その抽選日、券の価格、小売りナンバーと宝くじゲームのオンライン運営システムの取引記録に互換性のあるシリアルナンバーが印刷されている；
（ｆ）グランド賞：Ｌｉｇｈｔｎｉｎｇ  Ｓｔｒｉｋｅｓ  Ｔｗｉｃｅゲームの最高賞のことで、パリミューチュエル式を土台として決定し、一括一時払いあるいは年次分割払いで支払うものとする；
（ｇ）グランド賞金基金：グランド賞金支払いのために蓄えられる賞金基金である
。いずれの抽選においても、グランド賞金基金は、賞金基金の５０％と前回までの抽選で繰り越されてきたグランド賞金の合計とされるが、広告されたグランド賞に見合うために必要な基金額によって高低もありうる；
（ｈ）ジャックポットゲーム：パリミューチュエル式のジャックポットを当選する可能性のある、州営宝くじゲームである；
（ｉ）Ｌｉｇｈｔｎｉｎｇ  Ｓｔｒｉｋｅｓ  Ｔｗｉｃｅ年金賞金：３０回にわたって同金額を毎年支払うためのグランド賞金の支払い合計額を計算するために、グランド賞金基金の金額が年金率の市場レートによって増資される事を指す。年金率は、市場入札によって決定されるレートであり、年金期間中当選者に代わって投資する額面に使用される；
（ｊ）「Ｌｉｇｈｔｎｉｎｇ  Ｓｔｒｉｋｅｓ  Ｔｗｉｃｅラッフル券」または「
ラッフル券」：ターミナルで発券されるラッフル券のことで、券面にはチケット番号が１つ、抽選日、Ｌｉｇｈｔｎｉｎｇ  Ｓｔｒｉｋｅｓ  Ｔｗｉｃｅのアドオンゲームが購入されたかどうかの表示、小売りナンバーと宝くじゲームのオンライン運営システムの賭けファイルと承認記録に互換性のあるシリアルナンバーが印刷されている；
（ｋ）宝くじ：＿＿州／連邦運営宝くじのことである；
（ｌ）「公認当選ナンバー」または「当選ナンバー」：１回の抽選における当選番号として、宝くじ主催者によって任意に選ばれた複数の数字のことで、認証後、オンライン宝くじシステムにエントリーされる。この数字により、ゲーム券またはラッフル券に記載の数字が当選かどうか決定される；
（ｍ）賞金レベル：売上額の中から指定の賞金額を賞金請求人に割り当てた合計金額の事である；
（ｎ）「プレイ」あるいは「ゲームプレイ」：１回のジャックポット宝くじゲームの抽選に必要な５つか６つの数字の事で、１文字選択の形式で宝くじ券に記載され、この数字を使ってプレーヤーはゲームを行なう；
（ｏ）「支払い伝票」または「ゲーム伝票」：プレーヤーのゲームプレイの印を付けるために使用される紙のことで、１つ以上のボード（完全な「プレイコンビネーション」）が記載されている；
（ｐ）オーナー：指定の署名欄に署名をしているかどうかに関わらずゲーム券またはラッフル券の携帯者の事である。「プレーヤーとは、抽選時に宝くじ券を購入あるいは携帯している者のことである」；
（ｑ）賞金基金：賞金支払いのために蓄えられるＬｉｇｈｔｎｉｎｇ  Ｓｔｒｉｋｅｓ  Ｔｗｉｃｅの総売上の一部分のことである。いずれの抽選においても、賞金基金は売り上げの５０％とされるが、定額賞金額の当選者の数や広告されたグランド賞に見合うために必要な基金額によって高低もありうる；
（ｒ）ＱＰ宝くじ券：クイックピック宝くじ券の事で、券面にはプレーヤーではなく宝くじシステムによって任意に選ばれた複数の数字が記載されている；
（ｓ）基本ゲームプレイで資格を取る：ジャックポット宝くじゲームの１回の抽選で公表された当選番号の中から少なくとも３つの数字が一致する事を指し、これにより１回のＬｉｇｈｔｎｉｎｇ  Ｓｔｒｉｋｅｓ  Ｔｗｉｃｅのラッフル券を獲得する資格がプレーヤーに与えられる。
（ｔ）ラッフル抽選：売り上げ期間中に発行されたすべてのラッフル券の番号の中からコンピューターが任意に抽選をする事である；
（ｕ）小売業者：宝くじ主催者によって宝くじ券販売を許可された人物あるいは実体である。
【００８３】
（宝くじ券価格）
（ａ）Ｌｉｇｈｔｎｉｎｇ  Ｓｔｒｉｋｅｓ  Ｔｗｉｃｅのアドオンゲームの価格は１ゲームにつき１ドル（ＵＳＡ＄１）か宝くじ主催者によって決められた別価格とする。
（ｂ）Ｌｉｇｈｔｎｉｎｇ  Ｓｔｒｉｋｅｓ  Ｔｗｉｃｅのアドオンゲームの販売及び換金は、宝くじ主催者と契約をした小売業者か、宝くじ主催者が許可した手段でのみ実行出来るものとする。
（ｃ）宝くじ主催者は、購入者のグランド賞当選を保証すると言及する人物あるいは実体に、直接、そして、その事実を認識しながら、Ｌｉｇｈｔｎｉｎｇ  Ｓｔｒｉｋｅｓ  Ｔｗｉｃｅのアドオンゲームを販売してはならないものとする。
【００８４】
（ゲームの説明）
（ａ）Ｌｉｇｈｔｎｉｎｇ  Ｓｔｒｉｋｅｓ  Ｔｗｉｃｅは、進化型のラッフルアドオンゲームであり、次に述べられるジャックポット賞付き州営宝くじゲームのいずれにでも購入時に付加する事が出来る。Ｌｉｇｈｔｎｉｎｇ  Ｓｔｒｉｋｅｓ  Ｔｗｉｃｅアドオンゲームは基本ジャックポットゲームにおいて公表された当選ナンバーのうち少なくとも３つの数字が一致したプレーヤーに一連の定額現金賞金とパリミューチュエル式グランド賞が含まれた進化型のラッフル抽選に参加する機会を与えるものである。
（ｂ）基本ジャックポットゲームにおいて、公表された当選ナンバーのうち少なくとも３つの数字が一致したゲーム券の換金の際に、プレーヤーは次回のＬｉｇｈｔｎｉｎｇ  Ｓｔｒｉｋｅｓ  Ｔｗｉｃｅラッフル抽選に自動エントリーする独自のチケット番号が記載されたＬｉｇｈｔｎｉｎｇ  Ｓｔｒｉｋｅｓ  Ｔｗｉｃｅのラッフル券を追加料金無しで受け取る。各Ｌｉｇｈｔｎｉｎｇ  Ｓｔｒｉｋｅｓ  Ｔｗｉｃｅラッフル券には、１つのチケット番号が記載されている。チケット番号は州内で換金された当選ゲーム券に関連した連番となっており、ラッフル券はターミナルで自動的に印刷される。プレーヤーはチケット番号を選択出来ない。各Ｌｉｇｈｔｎｉｎｇ  Ｓｔｒｉｋｅｓ  Ｔｗｉｃｅラッフル券には当選ゲーム券が関与する最初のゲームの購入時にプレーヤーがＬｉｇｈｔｎｉｎｇ  Ｓｔｒｉｋｅｓ  Ｔｗｉｃｅのアドオンゲームを購入したかどうかが表示される。毎週特定の締め切り日以降に関連する当選ゲーム券を換金するプレーヤーには、次回抽選のＬｉｇｈｔｎｉｎｇ  Ｓｔｒｉｋｅｓ  Ｔｗｉｃｅのラッフル券が授与される。
（ｃ）おおもとのゲーム券の正確さ、Ｌｉｇｈｔｎｉｎｇ  Ｓｔｒｉｋｅｓ  Ｔｗｉｃｅのアドオンゲームを購入したかどうかの表示や、その他の宝くじ券に印刷されているデータを確認する事は、唯一、プレーヤーの責任である。誤った印刷がされている場合も含み、宝くじ券を小売業者や宝くじ主催者に返却しても、無効あるいは取り消しされない事がある。宝くじ券は信用貸しの目的で宝くじ主催者に返却は出来ない。賭けの発注はプレーヤー自身の責任によりオンライン小売業者を通して行われる。
（ｄ）Ｌｉｇｈｔｎｉｎｇ  Ｓｔｒｉｋｅｓ  Ｔｗｉｃｅラッフル抽選は、毎＿＿の午後＿＿時Ｅ．Ｔ．頃に行われ、数字が一致したプレーヤーには、一連の定額現金賞金とパリミューチュエルグランド賞金が提供される。各Ｌｉｇｈｔｎｉｎｇ  Ｓｔｒｉｋｅｓ  Ｔｗｉｃｅラッフル抽選は、適切な安全設備と会計監督およびポリシーのもとで行われるものである。定額賞金基金の支払い可能額に基づいて（７）項のルールに従って割り当てられた１つのグランド賞金と複数の定額賞金の合計金額が授与される。最初に抽選される数字がグランド賞である。次の数字は、その抽選で提供された賞金金額が１００万ドルであれば、１００万ドルの当選となる。次の数字は、その抽選で提供された賞金金額が１０万ドルであれば、１０万ドルの当選となる。次の数字は、その抽選で提供された賞金金額が１万ドルであれば、１万ドルの当選となる
。その次の数字はその抽選で提供された賞金金額が５００ドルであれば、５００ドルの当選となる。
（ｅ）公認のラッフル当選券に関わる現金賞金を受け取る資格を得るには、プレーヤーは基本ゲーム購入時に、Ｌｉｇｈｔｎｉｎｇ  Ｓｔｒｉｋｅｓ  Ｔｗｉｃｅアドオンゲームを購入していなければならない。公認のラッフル当選券の持ち主が、基本ゲーム購入時に、Ｌｉｇｈｔｎｉｎｇ  Ｓｔｒｉｋｅｓ  Ｔｗｉｃｅアドオンゲームを購入していない場合、現金賞金の代わりにＱＰ宝くじ券を受け取る。ラッフル当選券に関わる現金賞金は支払われず、次のＬｉｇｈｔｎｉｎｇ  Ｓｔｒｉｋｅｓ  Ｔｗｉｃｅラッフル抽選に繰り越される。
（ｆ）毎回の抽選結果は毎回＿＿の午後＿＿時頃に、宝くじウェブサイト、電話、宝くじ小売業者によって発表される。
【００８５】
（賞金請求）
（ａ）当選したＬｉｇｈｔｎｉｎｇ  Ｓｔｒｉｋｅｓ  Ｔｗｉｃｅラッフル券は、支払いのために宝くじ事務所に提出しなければならない。ラッフル券に記載された番号は当選番号と同じ順番で一致しなければならない。ＱＰ宝くじ券の当選券は公認宝くじ小売業者であればどこでも交換が出来る。１００万ドル以上の支払い請求については、当選券を宝くじ本部に提出しなければならない。請求提出手順についての情報は、宝くじ本部に電話をして入手できる。Ｌｉｇｈｔｎｉｎｇ  Ｓｔｒｉｋｅｓ  Ｔｗｉｃｅラッフル券は賞金の換金のための領収書にすぎない。
（ｂ）Ｌｉｇｈｔｎｉｎｇ  Ｓｔｒｉｋｅｓ  Ｔｗｉｃｅラッフル券は、抽選日から＿＿日以内に有効化しなくてはならない。有効期限以内に賞金が支払われない場合
、宝くじ主催者の賞金支払い規則に従って、プレーヤーは宝くじ賞金請求事務所に当選券を提出し、支払いを請求しなければならない。
（ｃ）定額賞金かグランド賞金のいずれかの数字に該当するＬｉｇｈｔｎｉｎｇ  Ｓｔｒｉｋｅｓ  Ｔｗｉｃｅの当選ラッフル券が、確認と宝くじ主催者の賞金支払い規則に従った支払いのために提出されない場合、該当賞金の支払いは行われず、次のＬｉｇｈｔｎｉｎｇ  Ｓｔｒｉｋｅｓ  Ｔｗｉｃｅラッフル抽選に繰り越される。
（ｄ）Ｌｉｇｈｔｎｉｎｇ  Ｓｔｒｉｋｅｓ  Ｔｗｉｃｅのラッフル券は、印刷不明瞭で判読しがたい、変更されている、切断されている、不法に書き換えられるている、もしくは複製であるなどの場合には、無効となる。ゲームの伝票またはＬｉｇｈｔｎｉｎｇ  Ｓｔｒｉｋｅｓ  Ｔｗｉｃｅラッフル券の複写は、金銭的または賞金としての価値は全くなく、宝くじ券購入の証拠としては成り立たない。
（ｅ）プレーヤーと賞金請求者の最少年齢は＿＿才とする。州の制定法により宝くじ券の購入を禁止されている者には参加の資格は無い。
（ｆ）Ｌｉｇｈｔｎｉｎｇ  Ｓｔｒｉｋｅｓ  Ｔｗｉｃｅのすべての賞金は州制定法と、ここに続けて公表する公式Ｌｉｇｈｔｎｉｎｇ  Ｓｔｒｉｋｅｓ  Ｔｗｉｃｅラッフルルールを含む規則に従うものである。賞金は宝くじ主催者が律する賞金支払い規則に従って支払われる。現存の賞金支払い規則とＬｉｇｈｔｎｉｎｇ  Ｓｔｒｉｋｅｓ  Ｔｗｉｃｅラッフル規則は宝くじ主催者から入手出来る。
（ｇ）連邦、州あるいは地方税の支払いは、すべて当選者の負担とする。連邦源泉徴収税はＩＲＳ規則により賞金金額からの天引きが要求されているため、現金支払いの際に賞金金額から差し引かれる。
（ｈ）宝くじ券を購入し賞金を請求することで、当選者は宝くじ主催者に、当選者の氏名、居住する市、国と州の名前、賞金金額と写真またはそれに準じたものをゲームの宣伝あるいは宝くじ主催者の信用のために使用する権利を与えることとする。
【００８６】
（賞金基金）
（ａ）賞金基金は一連の定額賞金とパリミューチュエルグランド賞金に割り当てられ、その内容はＬｉｇｈｔｎｉｎｇ  Ｓｔｒｉｋｅｓ  Ｔｗｉｃｅの各抽選期間の税込み売上げ額の５０％であり、宝くじ主催者が設立した賞金貯蓄口座に資金として蓄えられる。ゲーム終了後、賞金基金に残った残高は代わりのゲームに繰り越されるか
、州法に基づいて宝くじ主催者の指導のもとで使用される。
（ｂ）税込み売上額の２パーセントは１つ以上の賞金貯蓄口座に保管され、宝くじ主催者が指定する金額に達するまで保管されなくてはならない。賞金貯蓄口座の残高が指定する金額に達したら、超過額は賞金基金の一部となる。１回のゲーム終了後に賞金貯蓄口座に残っている残高は代わりの賞金貯蓄口座に繰り越されるか、州法に基づいて宝くじ主催者の指導のもとで使用される。
（ｃ）賞金基金は次の通り割り当てられる。
（ｄ）グランド賞金基金は、ある抽選のための賞金基金の５０パーセント（５０％）と、それ以前の抽選で支払われずに繰り越されたグランド賞金の合計である。グランド賞当選者が基本ゲーム購入時にＬｉｇｈｔｎｉｎｇ  Ｓｔｒｉｋｅｓ  Ｔｗｉｃｅのアドオンゲームを購入していない場合には、グランド賞金の代わりに無料のＱＰ宝くじ券を受け取る。その回の当選ラッフル券に割り当てられたグランド賞は支払われず、グランド賞金基金に加算されて次のＬｉｇｈｔｎｉｎｇ  Ｓｔｒｉｋｅｓ  Ｔｗｉｃｅ抽選に、繰り越される。
（ｅ）宝くじ主催者がゲームの利益にとって最適と見なせば、宝くじ主催者は、グランド賞の最低金額や、抽選と抽選の合間の最低増加額を保証したり、賞金割り当て率などの変更をする事が出来る。グランド賞の最低金額や、抽選と抽選の合間の最低増加額が、宝くじ主催者から提供された場合、賞金基金内で次の抽選のグランド賞金に割り当てられる割率は、宝くじ主催者によって決定されたとおり、定額賞金基金の残高と共に、グランド賞金基金の貯蓄額がグランド賞の最低金額または最低増加額に充分な残高に達するまで１００パーセント（１００％）に引き上げられる。
（ｆ）抽選で支払われるグランド賞金の合計金額がグランド賞金基金からグランド賞金に割り当てられた額を超過した場合、グランド賞金支払いに必要な供給資金額は次の財源から次の順番で引き出される。
（ｆ１）支払われていない定額賞金で次の抽選に繰り越されるものがある場合；
（ｆ２）引き出し可能な１抽選に付き＿００万ドルを超過しない賞金貯蓄口座の残高；
（ｆ３）この回の定額賞金に割り当てられた支払額；
（ｆ４）これらの財源を使い切った後で、定額賞金の支払いに十分な資金が無い場合、すべての定額賞金はパリミューチュエル賞金となり、定額賞金基金の残高が、それぞれの賞金割率に比例して当選者に分配される。
（ｇ）定額賞金基金は、その時の抽選の賞金基金の５０パーセント（５０％）と、それ以前の抽選から繰り越されてきた定額賞金の合計である。定額賞金基金は、次に述べられる方式に定義づけられ、一連のサブカテゴリーである１００万ドル、１０万ドル、１万ドルと５００ドルの定額賞金に割り当てられる。
（ｇ１）定額賞金基金の７５パーセント（７５％）を、額面金額１００万ドルに切り捨て、最大１００万ドルの賞金単位に割り当てる。
（ｇ２）定額賞金基金の残高の７５パーセント（７５％）を、額面金額１０万ドルに切り捨て、最大１０万ドルの賞金単位に割り当てる。
（ｇ３）定額賞金基金の残高の７５パーセント（７５％）を、額面金額１万ドルに切り捨て、最大１万ドルの賞金単位（６１０）に割り当てる。
（ｇ４）定額賞金基金の残高の１００パーセント（１００％）を、額面金額５００ドルに切り捨て、最大５００ドルの賞金単位に割り当てる。
（ｇ５）定額賞金基金の残高の１００パーセント（１００％）はＱＰ宝くじ券賞金のための１つ以上の賞金積み立て信託口座に預けるものとする。賞金積み立て口座の金額があらかじめ予定されていた金額を上回った時には、超課金は定額賞金基金に割り当てられるものとする。
（ｈ）定額賞金基金の割り当ては、ブカテゴリーの数を付加するために、宝くじ主催者によって修正されることがある。修正額には、１０００万ドル賞金単位、５００万ドル賞金単位、２００万ドル賞金単位、１００万ドル賞金単位、５０万ドル賞金単位、２５万ドル賞金単位、１万ドル賞金単位、５０００ドル賞金単位、１０００ドル賞金単位、５００ドル賞金単位、２５０ドル賞金単位、１００ドル賞金単位、そしてＱＰ宝くじ券賞金単位が含まれる。
（ｉ）定額賞金基金の修正は、宝くじ主催者が、抽選に先立ち、現状においてそのような額面割り当て修正が売り上げに肯定的なインパクトを保証すると、書面で決定した場合のみに発生する。１度の抽選で、１つのサブカテゴリーに割り当てられる額は、定額賞金基金の７５％を超える事は無い。いかなる状況においても、宝くじ主催者による公表後に、定額賞金割り当てが修正される事は無い。この規則のいずれにおいても、保証定額賞金の妨害をするものと解釈するものではない。
（ｊ）定額賞金の当選者が、基本ゲーム購入時にＬｉｇｈｔｎｉｎｇ  Ｓｔｒｉｋｅｓ  Ｔｗｉｃｅのアドオンゲームを購入していない場合、当選者は定額賞金の代わりにＱＰ宝くじ券を受け取る。当選ラッフル券に割り当てられた定額賞金の金額は支払われず、次回のＬｉｇｈｔｎｉｎｇ  Ｓｔｒｉｋｅｓ  Ｔｗｉｃｅ抽選のための定額賞金基金に加算されて繰り越される。
（ｋ）これらの規則で規定された通り、グランド賞金の支払いを除き、他の賞金はすべて定額一時払いの賞金とする。
【００８７】
（当選確率）
（ａ）次の表は基本ジャックポットゲームで公表された当選ナンバーのうち少なくとも３つの数字が一致する確率と、仮定のラッフル期間に予想されるＬｉｇｈｔｎｉｎｇ  Ｓｔｒｉｋｅｓ  Ｔｗｉｃｅプレーヤー数をもとにした、Ｌｉｇｈｔｎｉｎｇ  Ｓｔｒｉｋｅｓ  Ｔｗｉｃｅグランド賞の総合的な当選確率を表している。ラッフル賞を当てる確率は発行されたラッフル券の枚数と仮定の抽選に提供される賞金の数で決定される。
（ｂ）ジャックポットゲームで、少なくとも３つの数字が当選ナンバーと一致する：  基本ジャックポットゲーム  総合確率
ロト                                    １：６７．３６
（ｃ）毎週のラッフル期間に、Ｌｉｇｈｔｎｉｎｇ  Ｓｔｒｉｋｅｓ  Ｔｗｉｃｅグランド賞を当てる：１：３３０，０００（予想）
【００８８】
（Ｌｉｇｈｔｎｉｎｇ  Ｓｔｒｉｋｅｓ  Ｔｗｉｃｅの賞金予想）
（ａ）宝くじ主催者は毎抽選ごとに１人のプレーヤーが当選できるＬｉｇｈｔｎｉｎｇ  Ｓｔｒｉｋｅｓ  Ｔｗｉｃｅグランド賞（予想年金価格）の予想額を発表する
。予想額は現見積売上額と過去の売上額、現在の利率と、あれば繰り越しされた資金によって決定されるグランド賞金基金の予想現金価格をもとにしている。年金支払い期間中にグランド賞金基金の使用可能な現金が予想グランド賞額に満たない場合、宝くじ主催者は賞金貯蓄口座から賞金金額あるいは州制定法で利用不可能とされる賞金金額をグランド賞金基金に加算し、基金が発表された予想グランド賞金額を生み出すまで十分に満たす。Ｌｉｇｈｔｎｉｎｇ  Ｓｔｒｉｋｅｓ  Ｔｗｉｃｅアドオンゲームのグランド賞金基金を増加するために賞金貯蓄口座や利用不可能な賞金額を利用する事は、宝くじ主催者が抽選に先立って、現状においてそのような額面割り当て修正が売り上げに肯定的なインパクトをもたらすと保証すると書面で決定した場合のみに発生する。この規則のいずれにおいても、保証グランド賞金の妨害をするものと解釈するものではない。
（ｂ）宝くじ主催者は毎抽選ごとに一人のプレーヤーが当選しうる各種の定額賞の予想額を発表する。予想額は現見積売上額と過去の売上額、現在の利率、あれば繰り越しされた資金によって決定される定額賞金基金の予想現金価格をもとにしている。
（ｃ）一括支払いの際に定額賞金基金の使用可能な現金が予想定額賞額に満たない場合、宝くじ主催者は賞金貯蓄口座から賞金額あるいは州制定法またはＬｉｇｈｔｎｉｎｇ  Ｓｔｒｉｋｅｓ  Ｔｗｉｃｅゲーム規則により利用不可能とされる賞金額を
、定額賞金基金に加算し、基金が発表された予想定額賞金額を生み出すまで十分に満たす。
（ｄ）Ｌｉｇｈｔｎｉｎｇ  Ｓｔｒｉｋｅｓ  Ｔｗｉｃｅアドオンゲームの定額賞金基金を増加するために賞金貯蓄口座や利用不可能な賞金額を利用する事は、宝くじ主催者が抽選に先立って、現状においてそのような額面割り当て修正が売り上げに肯定的なインパクトをもたらすと保証すると書面で決定した場合のみに発生する。この規則のいずれにおいても保証定額賞金の妨害をするものと解釈するものではない。
【００８９】
（グランド賞金支払いオプション）
（ａ）グランド賞金は賞金が承認されてから＿＿日以内に、年金支払いか一括一時払いのどちらかの方法で支払われるものとする。賞金が承認から＿＿日以内に、プレーヤーが支払い方法の選択をしていない場合は、賞金は年金払いで支払われるものとする。一括一時払いの支払い選択は賞金が承認された時点か、それから＿＿日以内とする。承認後に選ばれた選択は最終的なもので、無効、撤回および変更は出来ない。一時払いを選んだ当選者には一括一時払いで支払いが行われる。年金払い賞金額はグランド賞金基金にＬｉｇｈｔｎｉｎｇ  Ｓｔｒｉｋｅｓ  Ｔｗｉｃｅの年金率を掛けて決定する。Ｌｉｇｈｔｎｉｎｇ  Ｓｔｒｉｋｅｓ  Ｔｗｉｃｅの年金率を使う事で一括一時払いを選んだグランド賞当選者が宣伝されていたジャックポット金額のおよそ半分の額しか受け取れない結果になることが懸念される。この規則の区分（４）に述べられている通りにＬｉｇｈｔｎｉｎｇ  Ｓｔｒｉｋｅｓ  Ｔｗｉｃｅの年金率の機能は決められるため、実際の一括一時払いの金額は変動する。Ｌｉｇｈｔｎｉｎｇ  Ｓｔｒｉｋｅｓ  Ｔｗｉｃｅの年金率は、年金払いの支払い方法が決定するか、あるいは当選者に賞金受領の資格が発生して＿＿日の期限が過ぎた後、あらかじめ指定された認定ブローカーが売買によって得る株価の合計の、一番良い値段で決定される。宣伝または予測された年金賞金金額の変更や、賞金支払い手段が実際に宝くじ主催者に通達された後の実際の購入金額について宝くじ主催者に法的責任は無いものである
。宝くじ主催者によって発表される場合に、グランド賞は保証された金額となり、この規約の項目（４）に準じて決定がされる。年金供給用の現金額が２５万ドル以下の場合、宝くじ主催者は単独の裁量で、グランド賞金基金に蓄えられている金額を当選者に支払う選択をする。年金払いの賞金はすべて３０回に分割して毎年同額を支払うものであり、最初の支払いは利用出来る資金から行い、残りの２９回は年金投資によって支払われる。２回目からの年次の支払いは、毎年、初回の払いが行われたと同日に宝くじ主催者により行われる。その日が非営業日に当たる場合は、その日以後の最初の翌営業日に繰り越される。
（ｂ）グランド賞金の年金支払いは、適切な資金メカニズムの購入を簡易化するために、金額を端数切り下げにする事もあり得る。年金払いのグランド賞金の端数は、第１回目の支払い時に加算される。
（ｃ）抽選でグランド賞金が当選しなかった場合、グランド賞にあてられた賞金金額は繰り越され、次の抽選のためのグランド賞金基金に追加される。抽選で定額賞金が当選しなかった場合、定額賞にあてられた賞金金額は繰り越され、次の抽選のための定額賞金基金に追加される。
（ｄ）ある抽選でグランド賞金当選者が年金払いの賞金を選んだ場合、宝くじ主催者が承認した認定ブローカーよって提供される最高価格によって保証年金払いグランド賞金金額に必要な現金貯蓄が決定される。グランド賞金当選者が年金払いを選ばなかった場合、グランド賞金基金の現金金額は保証年金払いの金額を宝くじ主催者が承認した認定ブローカーよって提供される最新の時価相場の上位３位までの年金率の平均値で割った数字と同額とする。ここで使用する相場の数字は直近２週間以内のものであり、提供される時価が３つ揃わない場合は宝くじ主催者は提供されたすべての時価の平均を使用するものである。賞金の割り当て金額の変更はこれらの規則に提示するように１年を通しておよそ同じ賞金割率を維持するように計画するべきである。
（ｅ）当選券の保持者は抽選された当選ラッフルナンバーによって１枚の宝くじ券で当選する賞金は１つとし、その中で一番高い賞金カテゴリーのみの資格を得るものとする。
（ｆ）Ｌｉｇｈｔｎｉｎｇ  Ｓｔｒｉｋｅｓ  Ｔｗｉｃｅグランド賞あるいは定額賞の現金あるいは年金支払いがされる前に発生する利子や収益は州に対して発生したものであり当選者に対するものではない。
【００９０】
当該発明の具体例として説明したゲームプレイの迅速な流通のための運営手段としての最善策は、宝くじ主催者が出来るだけ多くの「衝動的な機会」をプレーヤーにもたらす戦略を生み出す事であろう。最大数の持続的成長のための重要な焦点は宝くじ主催者にとって複数である。（１）プレーヤーのデータベースの作成を開始することで
、電子通信による関係を育む（２）テクノロジーに投資をして、プレーヤーが、個人の電子デバイスから直接アクセス出来るようにする。それにより、プレーヤーとの直接的な関係が深まるので、宝くじ主催者とプレーヤーの間の主要なインターフェイスとしての小売業者数を最小限に押さえるか、あるいは段階的に廃止する。（３）購入したゲームプレイをプレーヤーに関連づける、物質的な宝くじ券の必要性の廃止、電子領収書と電子通信によるゲームの結果の報告、および、くじ主催者が小額の手数料を受け取って賞金の自動送金をするなど、より優れた利益を提供する「スピーディな」ターミナルインターフェイスを使ってプレーヤーが登録と購入をするように奨励するための強力な宣伝キャンペーンを繰り広げる。
【符号の説明】
【００９１】
１００−１２６    ステップ
２００      州営ラッフルゲームが行われている２０州
３００      最大額のジャックポットが提示され、参加率は５００％以上に上が
る
４００      ロト宝くじ券の表面
４０２      ラッフル券の表面
４０４      １回のプレミアム掛金である２ドルの表示
４０６      Ｌｉｇｈｔｎｉｎｇ  Ｓｔｒｉｋｅｓ  Ｔｗｉｃｅ（ＬＳＴ）のチ
ェック欄
４０８      ラッフル抽選に自動的にエントリーされる、独自のラッフル組数字
５００      賞金基金
５０２      グランド賞金基金
５０４      定額賞金基金
５０６      額面金額１００万ドルに切り捨て、最大１００万ドルまでの賞金単
位
５０８      額面金額１０万ドルに切り捨て、最大１０万ドルまでの賞金単位
５１０      額面金額１万ドルに切り捨て、最大１万ドルまでの賞金単位
５１２      額面金額５００ドルに切り捨て、最大５００ドルまでの賞金単位
５１４      ＱＰ宝くじ券賞金   ６００      宝くじ券売り上げ
６０１      毎週の抽選期間
６０２      基本ゲーム券の総売上
６０４      アドオンゲーム仮想販売率
６０６      結果としての宝くじ券売上
６０８      週刊賞金基金
６１０      定額賞金
６１２      定額賞金基金
６１４      １００万ドル賞金単位
６１５      １０万ドル賞金単位
６１６      １万ドル賞金単位
６１７      ５００ドル賞金単位
６１８      ＱＰ宝くじ券積み立て
６１９      賞金の架空支払い
６２０      グランド賞金
６２２      グランド賞金基金
６２４      グランド賞の支払い
６２６      仮想のグランド賞当選者数
６２８      グランド賞の支払い確率
６３０      勝率
６３２      基本ゲームの有資格者の人数
６３４      ラッフル賞の数
６３６      ラッフル賞に当選する勝率
６４０      仮想の週１３
７００−１０１４    ステップ
１１００      発券ターミナル・インターフェイス
１１０２      外側のハウジング
１１１２      インターフェイス回線の設計
１２００      プレーヤー間における安全なネットワーク関係
１２０２      セントラル処理システム
１２０４      プレーヤー登録ターミナル
１２０６      プレーヤーの銀行あるいは金融機関
１２０８      ＳＳＬ手段か類似の安全なゲート
１２１０      プレーヤー記録
１２１２      コンピューターの判読可能な媒体
１２１４      個人のパソコン
１２１６      プレーヤーのゲーム選択事項
１２１８      セントラル機関あるいは宝くじ主催者と提携した口座
１２２０      プレーヤーの口座
１２２２      セントラル機関
１２２４      携帯電話またはＰＤＡ
１２２６      インタラクティブテレビ
１３０２−１３４６      ステップ
【図１Ａ】
2010535391.tif 000003
【図１Ｂ】
2010535391.tif 000004
【図２】
2010535391.tif 000005
【図３】
2010535391.tif 000006
【図４】
2010535391.tif 000007
【図５】
2010535391.tif 000008
【図６】
2010535391.tif 000009
【図７Ａ】
2010535391.tif 000010
【図７Ｂ】
2010535391.tif 000011
【図８】
2010535391.tif 000012
【図９Ａ】
2010535391.tif 000013
【図９Ｂ】
2010535391.tif 000014
【図１０】
2010535391.tif 000015
【図１１】
2010535391.tif 000016
【図１２】
2010535391.tif 000017
【図１３Ａ】
2010535391.tif 000018
【図１３Ｂ】
2010535391.tif 000019
【国際調査報告】
2010535391.tif 000020
2010535391.tif 000021